(57)【要約】  多数の可能性のある信号チャネルパラメータのそれぞれに対して１つずつ，いくつかの移動機識別子が１つの移動機に割り当てられる。移動機はその信号チャネルを受信すると，受信した信号チャネル内で自身に割り当てられたすべての識別子を探索する。移動機は，符合するものを見付けるとその識別子が何を意味するか判定するために，例えば（コネクション設定時に，移動機とネットワークとの間でＲＲＣ信号通知によって合意された）対応表を検査する。送信に用いた信号チャネルパラメータは，識別子によって暗黙又は明示的に示される。移動機（ユーザ装置）は，通常の方法で信号チャネルを監視する。しかし移動機は，１つの識別子だけを探す代わりに自身に属するいくつかの識別子を監視することが望ましい。
2008546268.tif 000002
【特許請求の範囲】
【請求項１】
１つのユーザ装置に多数のユーザ装置識別子を割り当てるステップと，
前記多数のユーザ装置識別子それぞれに，多数の異なる信号パラメータの１つを関連させるステップと，
を有する方法。
【請求項２】
ネットワーク要素において実行する方法であって，前記ユーザ装置識別子を前記１つのユーザ装置と調停するステップを更に有する請求項１に記載の方法。
【請求項３】
前記１つのユーザ装置において実行する方法であって，前記ユーザ装置識別子をネットワーク要素と調停するステップを更に有する請求項１に記載の方法。
【請求項４】
システムにおいて実行する方法であって，前記１つのユーザ装置とネットワーク要素との間で前記ユーザ装置識別子を調停するステップを更に有する請求項１に記載の方法。
【請求項５】
ネットワーク要素において実行する方法であって，前記ユーザ装置識別子の対応する１つと関連する信号パラメータによって見付けることができる転送チャネル上で，前記ネットワーク要素から前記１つのユーザ装置へサービスを提供するステップを更に有する請求項１に記載の方法。
【請求項６】
前記ネットワーク要素において実行する方法であって，前記ユーザ装置識別子の対応する１つと関連する信号パラメータによって見付けることができる転送チャネル上で，前記ネットワーク要素から前記１つのユーザ装置へサービスを提供するステップを更に有する請求項２に記載の方法。
【請求項７】
ネットワーク要素において実行する方法であって，多数のサービスを，対応する多数の転送チャネルであって，それぞれ前記ユーザ装置識別子の対応する１つと関連する信号パラメータによって見付けることができる転送チャネル上で，前記ネットワーク要素から前記１つのユーザ装置へ提供するステップを更に有する請求項１に記載の方法。
【請求項８】
前記ネットワーク要素において実行する方法であって，多数のサービスを，対応する多数の転送チャネルであって，それぞれ前記ユーザ装置識別子の対応する１つと関連する信号パラメータによって見付けることができる転送チャネル上で，前記ネットワーク要素から前記１つのユーザ装置へ提供するステップを更に有する請求項２に記載の方法。
【請求項９】
前記１つのユーザ装置において実行する方法であって，ネットワーク要素によって提供され，前記ユーザ装置識別子の対応する１つと関連する信号パラメータによって見付けることができる転送チャネル上で，前記ネットワーク要素からサービスを受信するステップを更に有する請求項１に記載の方法。
【請求項１０】
前記１つのユーザ装置において実行する方法であって，前記ネットワーク要素によって提供され，前記ユーザ装置識別子の対応する１つと関連する信号パラメータによって見付けることができる転送チャネル上で，前記ネットワーク要素からサービスを受信するステップを更に有する請求項３に記載の方法。
【請求項１１】
前記１つのユーザ装置において実行する方法であって，多数のサービスを，対応する多数の転送チャネルであって，それぞれ前記ユーザ装置識別子の対応する１つと関連する信号パラメータによって見付けることができる転送チャネル上で，前記ネットワーク要素から受信するステップを更に有する請求項１に記載の方法。
【請求項１２】
前記１つのユーザ装置において実行する方法であって，多数のサービスを，対応する多数の転送チャネルであって，それぞれ前記ユーザ装置識別子の対応する１つと関連する信号パラメータによって見付けることができる転送チャネル上で，前記ネットワーク要素から受信するステップを更に有する請求項３に記載の方法。
【請求項１３】
前記ユーザ装置識別子の対応する１つと関連する信号パラメータによって見付けることができる転送チャネル上で，前記ネットワーク要素から前記１つのユーザ装置へサービスを提供するステップを更に有する請求項４に記載の方法。
【請求項１４】
多数のサービスを，対応する多数の転送チャネルであって，それぞれ前記ユーザ装置識別子の対応する１つと関連する信号パラメータによって見付けることができる転送チャネル上で，前記ネットワーク要素から前記１つのユーザ装置へ提供するステップを更に有する請求項４に記載の方法。
【請求項１５】
前記ネットワーク要素が提供する，前記ユーザ装置識別子の対応する１つと関連する信号パラメータによって見付けることができる転送チャネル上で，ネットワーク要素からサービスを受信するステップを更に有する請求項１３に記載の方法。
【請求項１６】
多数のサービスを，対応する多数の転送チャネルであって，それぞれ前記ユーザ装置識別子の対応する１つと関連する信号パラメータによって見付けることができる転送チャネル上で，前記ネットワーク要素から受信するステップを更に有する請求項１４に記載の方法。
【請求項１７】
前記ネットワーク要素が提供する，前記ユーザ装置識別子の対応する１つと関連する信号パラメータによって見付けることができる転送チャネル上で，ネットワーク要素からサービスを受信するステップを更に有する請求項４に記載の方法。
【請求項１８】
多数のサービスを，対応する多数の転送チャネルであって，それぞれ前記ユーザ装置識別子の対応する１つと関連する信号パラメータによって見付けることができる転送チャネル上で，前記ネットワーク要素から受信するステップを更に有する請求項４に記載の方法。
【請求項１９】
前記ネットワーク要素が提供する，前記ユーザ装置識別子の対応する１つと関連する，前記ネットワーク要素からの信号チャネルの信号パラメータによって見付けることができる転送チャネル上で，ネットワーク要素からサービスを受信するステップを更に有する請求項５に記載の方法。
【請求項２０】
多数のサービスを，対応する多数の転送チャネルであって，前記ユーザ装置識別子の対応する１つと関連する，前記ネットワーク要素からの信号チャネルの信号パラメータによって見付けることができる転送チャネル上で，前記ネットワーク要素から受信するステップを更に有する請求項７に記載の方法。
【請求項２１】
多搬送波システムにおいて実行する方法であって，前記関連させるステップは，前記１つのユーザ装置の識別子を前記多搬送波システムの無線ダウンリンク搬送波と関連させるステップを含む請求項１に記載の方法。
【請求項２２】
前記関連させるステップは，１つのユーザ装置がペイロードチャネルを受信する前記搬送波の明示的指示とする請求項２１に記載の方法。
【請求項２３】
前記関連させるステップは暗黙の指示であって，チャネル化符号を，前記１つのユーザ装置がペイロードチャネルを受信する搬送波を示すための信号を符号化するために用いる請求項２１に記載の方法。
【請求項２４】
前記多数のユーザ装置識別子の１つは，１又は複数の物理層関連パラメータを示す信号パラメータと関連させるためのものとする請求項１に記載の方法。
【請求項２５】
前記１又は複数の物理層関連パラメータは，１又は複数のハイブリッド自動再送信要求プロセス識別子とする請求項２４に記載の方法。
【請求項２６】
前記１又は複数の物理層関連パラメータは，ダウンリンク共有チャネルが制御情報を搬送しているか，データを搬送しているかを示す請求項２４に記載の方法。
【請求項２７】
前記１又は複数の物理層関連パラメータは，ダウンリンク共有チャネルの送信が最初の送信か，再送信かを示す請求項２４に記載の方法。
【請求項２８】
前記割り当てるステップは，いくつかの対応する物理層パラメータを示すために前記多数のユーザ装置識別子を前記１つのユーザ装置に割り当てるステップを含む請求項１に記載の方法。
【請求項２９】
前記多数の識別子は，それぞれ対応する搬送波を示すために用いる請求項１に記載の方法。
【請求項３０】
前記多数の識別子の１つは，ハイブリッド自動再送要求プロセスを示すために用いる請求項１に記載の方法。
【請求項３１】
前記多数の識別子の１つは，制御情報又はデータを示すために用いる請求項１に記載の方法。
【請求項３２】
前記多数の識別子の１つは，送信が最初の送信か，再送信かを示すために用いる請求項１に記載の方法。
【請求項３３】
前記の多数のユーザ装置識別子それぞれに信号パラメータを関連させるステップは，暗黙とする請求項１に記載の方法。
【請求項３４】
前記の多数のユーザ装置識別子それぞれに信号パラメータを関連させるステップは，明示的とする請求項１に記載の方法。
【請求項３５】
要求信号に反応して１つのユーザ装置に多数のユーザ装置識別子を示す信号を供給する割当てモジュールと，
前記多数のユーザ装置識別子を示す前記信号に反応して，多数の異なるパラメータから前記多数のユーザ装置識別子のそれぞれに信号パラメータを割り当て，前記多数のユーザ装置識別子及びその関連信号パラメータを示す信号を供給する関連モジュールと，
を備えるデバイス。
【請求項３６】
ネットワーク要素において利用するデバイスであって，前記多数のユーザ装置識別子及びその関連信号パラメータを示す前記信号に反応して，前記識別子及びその関連信号パラメータを前記１つのユーザ装置と調停する調停モジュールを更に備える請求項３５に記載のデバイス。
【請求項３７】
前記１つのユーザ装置において利用するデバイスであって，前記多数のユーザ装置識別子及びその関連信号パラメータを示す前記信号に反応して，前記識別子及びその関連信号パラメータをネットワーク要素と調停し，調停した識別子及び関連信号パラメータを示す調停信号を供給する調停モジュールを更に備える請求項３５に記載のデバイス。
【請求項３８】
前記ネットワーク要素において利用するデバイスであって，前記調停信号に反応して，前記調停識別子及び関連信号パラメータによって見付けることができる転送チャネル上で，前記ネットワーク要素から前記１つのユーザ装置へサービスを提供するサービスモジュールを更に備える請求項３６に記載のデバイス。
【請求項３９】
前記ネットワーク要素において利用するデバイスであって，前記調停信号に反応して多数のサービスを，対応する多数の転送チャネルであって，それぞれ前記ユーザ装置識別子の対応する１つと関連する調停パラメータによって見付けることができる転送チャネル上で，前記ネットワーク要素から前記１つのユーザ装置へ提供するサービスモジュールを更に備える請求項３６に記載のデバイス。
【請求項４０】
前記１つのユーザ装置において利用するデバイスであって，前記調停信号に反応して，前記ユーザ装置識別子の対応する１つと関連する信号パラメータによって前記ネットワーク要素が見付けることができる転送チャネル上で，ネットワーク要素からサービスを受信するサービスモジュールを更に備える請求項３７に記載のデバイス。
【請求項４１】
前記多数のユーザ装置識別子の１つは，物理層関連パラメータを示す信号パラメータと関連させるためのものとする請求項３５に記載のデバイス。
【請求項４２】
前記物理層関連パラメータは，ハイブリッド自動再送信要求プロセス識別子とする請求項４１に記載のデバイス。
【請求項４３】
前記物理層関連パラメータは，ダウンリンク共有チャネルが制御情報を搬送しているか，データを搬送しているかを示す請求項４１に記載のデバイス。
【請求項４４】
前記物理層関連パラメータは，ダウンリンク共有チャネルの送信が最初の送信か，再送信かを示す請求項４１に記載の方法。
【請求項４５】
前記特定ステップは，いくつかの対応する物理層パラメータを示すために前記多数のユーザ装置識別子を前記１つのユーザ装置に割り当てるステップを含む請求項３５に記載のデバイス。
【請求項４６】
前記多数の識別子の１つは，搬送波を示すために用いる請求項３５に記載のデバイス。
【請求項４７】
前記多数の識別子の１つは，ハイブリッド自動再送要求プロセスを示すために用いる請求項３５に記載のデバイス。
【請求項４８】
前記多数の識別子の１つは，制御情報又はデータを示すために用いる請求項３５に記載のデバイス。
【請求項４９】
前記多数の識別子の１つは，送信が最初の送信か，再送信かを示すために用いる請求項３５に記載のデバイス。
【請求項５０】
前記の多数のユーザ装置識別子それぞれに信号構造体を関連させるステップは，暗黙とする請求項３５に記載のデバイス。
【請求項５１】
前記の多数のユーザ装置識別子それぞれに信号構造体を関連させるステップは，明示的とする請求項３５に記載のデバイス。
【請求項５２】
１つのユーザ装置に多数のユーザ装置識別子を割り当てる手段と，
多数の異なる信号パラメータから前記多数のユーザ装置識別子のそれぞれに信号パラメータを関連させる手段と，
を備えるデバイス。
【請求項５３】
ネットワーク要素において利用するデバイスであって，前記識別子を前記１つのユーザ装置と調停する手段を更に備える請求項５２に記載のデバイス。
【請求項５４】
前記１つのユーザ装置において利用するデバイスであって，前記識別子をネットワーク要素と調停する手段を更に備える請求項５２に記載のデバイス。
【請求項５５】
システムにおいて利用するデバイスであって，前記１つのユーザ装置とネットワーク要素との間で前記識別子を調停する手段を更に備える請求項５２に記載のデバイス。
【請求項５６】
ネットワーク要素において利用するデバイスであって，前記ユーザ装置識別子の対応する１つと関連する信号パラメータによって見付けることができる転送チャネル上で，前記ネットワーク要素から前記１つのユーザ装置へサービスを提供する手段を更に備える請求項５２に記載のデバイス。
【請求項５７】
前記ネットワーク要素において利用するデバイスであって，前記ユーザ装置識別子の対応する１つと関連する信号パラメータによって見付けることができる転送チャネル上で，前記ネットワーク要素から前記１つのユーザ装置へサービスを提供する手段を更に備える請求項５３に記載のデバイス。
【請求項５８】
ネットワーク要素において利用するデバイスであって，多数のサービスを，対応する多数の転送チャネルであって，それぞれ前記ユーザ装置識別子の対応する１つと関連する信号パラメータによって見付けることができる転送チャネル上で，前記ネットワーク要素から前記１つのユーザ装置へ提供する手段を更に備える請求項５２に記載のデバイス。
【請求項５９】
前記ネットワーク要素において利用するデバイスであって，多数のサービスを，対応する多数の転送チャネルであって，それぞれ前記ユーザ装置識別子の対応する１つと関連する信号パラメータによって見付けることができる転送チャネル上で，前記ネットワーク要素から前記１つのユーザ装置へ提供する手段を更に備える請求項５３に記載のデバイス。
【請求項６０】
前記１つのユーザ装置において利用するデバイスであって，ネットワーク要素によって提供される，前記ユーザ装置識別子の対応する１つと関連する信号パラメータによって見付けることができる転送チャネル上で，前記ネットワーク要素からサービスを受信する手段を更に備える請求項５２に記載のデバイス。
【請求項６１】
前記１つのユーザ装置において利用するデバイスであって，前記ネットワーク要素によって提供される，前記ユーザ装置識別子の対応する１つと関連する信号パラメータによって見付けることができる転送チャネル上で，前記ネットワーク要素からサービスを受信する手段を更に有する請求項５４に記載のデバイス。
【請求項６２】
前記１つのユーザ装置において利用するデバイスであって，多数のサービスを，対応する多数の転送チャネルであって，それぞれ前記ユーザ装置識別子の対応する１つと関連する信号パラメータによって見付けることができる転送チャネル上で，前記ネットワーク要素から受信する手段を更に備える請求項５２に記載のデバイス。
【請求項６３】
前記１つのユーザ装置において利用するデバイスであって，多数のサービスを，対応する多数の転送チャネルであって，それぞれ前記ユーザ装置識別子の対応する１つと関連する信号パラメータによって見付けることができる転送チャネル上で，前記ネットワーク要素から受信する手段を更に備える請求項５４に記載のデバイス。
【請求項６４】
多搬送波符号分割多元接続システムにおいて利用するデバイスであって，前記関連させるステップは，前記１つのユーザ装置の識別子を前記多搬送波符号分割多元接続システムの無線ダウンリンク搬送波と関連させるステップを含む請求項５２に記載のデバイス。
【請求項６５】
前記多数のユーザ装置識別子の１つは，物理層関連パラメータを示す信号パラメータと関連させるためのものとする請求項５２に記載のデバイス。
【請求項６６】
前記多数のユーザ装置識別子の１つは，搬送波を示すために用いる請求項５２に記載のデバイス。
【請求項６７】
前記多数のユーザ装置識別子の１つは，ハイブリッド自動再送信要求プロセスを示すために用いる請求項５２に記載のデバイス。
【請求項６８】
前記多数のユーザ装置識別子の１つは，制御情報又はデータを示すために用いる請求項５２に記載のデバイス。
【請求項６９】
前記多数のユーザ装置識別子の１つは，送信が最初の送信か，再送信かを示すために用いる請求項５２に記載のデバイス。
【請求項７０】
前記の多数のユーザ装置識別子それぞれに信号パラメータを関連させるステップは，暗黙とする請求項５２に記載のデバイス。
【請求項７１】
前記の多数のユーザ装置識別子それぞれに信号パラメータを関連させるステップは，明示的とする請求項５２に記載のデバイス。
【請求項７２】
１つのユーザ装置に多数のユーザ装置識別子を割り当て，前記多数のユーザ装置識別子それぞれに，多数の異なる信号パラメータの１つを関連させる，計算機可読媒体上に記憶した計算機プログラム。
【請求項７３】
１つのユーザ装置に多数のユーザ装置識別子を割り当て，前記多数のユーザ装置識別子それぞれに，多数の異なる信号パラメータの１つを関連させるネットワーク要素と，
前記多数のユーザ装置識別子を割り当て，前記多数のユーザ装置識別子それぞれに，多数の異なる信号パラメータの１つを関連させる前記ユーザ装置と，
を備えるシステム。
【請求項７４】
ユーザ装置において，無線信号であって，該無線信号の後に到着するデータチャネル内のデータを見付けるために必要なパラメータに関する無線信号を，無線接続ネットワークから無線インタフェースを介して受信するステップであって，前記無線信号は前記ユーザ装置に指定された複数のユーザ装置識別子の１つによって識別できるステップと，
前記ユーザ装置において前記データチャネルを受信するための前記無線信号によって前記ユーザ装置のダウンリンク搬送波指定を実行するステップと，
を有する方法。
【請求項７５】
前記信号内のユーザ装置識別子が，前記ユーザ装置が前記データチャネルを受信するダウンリンク搬送波を明示的に示す明示的信号方式を用いる請求項７４に記載の方法。
【請求項７６】
前記ユーザ装置が前記データチャネルを受信するダウンリンク搬送波を示すために，前記無線信号にチャネル化符号を用いる暗黙的信号方式を用いる請求項７４に記載の方法。
【請求項７７】
前記無線信号における前記ユーザ装置識別子は，前記ダウンリンク搬送波の指定以外の物理層関連パラメータを示すために用いる請求項７４に記載の方法。
【請求項７８】
前記物理層関連パラメータは，ハイブリッド自動再送信要求プロセス識別子とする請求項７７に記載の方法。
【請求項７９】
前記物理層関連パラメータは，ダウンリンク共有チャネルが制御情報を搬送しているか，データを搬送しているかを示す請求項７７に記載の方法。
【請求項８０】
前記物理層関連パラメータは，前記データチャネルの送信信号が転送ブロックの最初の送信か，再送信かを示す請求項７７に記載の方法。
【請求項８１】
いくつかのパラメータを示すために，いくつかのユーザ装置識別子を１つのユーザ装置に割り当てる請求項７４に記載の方法。
【請求項８２】
前記ユーザ装置識別子は，前記搬送波を示すために用いる請求項７４に記載の方法。
【請求項８３】
前記ユーザ装置識別子は，ハイブリッド自動再送要求プロセスを示すために用いる請求項７４に記載の方法。
【請求項８４】
前記ユーザ装置識別子は，制御情報又はデータを示すために用いる請求項７４に記載の方法。
【請求項８５】
前記ユーザ装置識別子は，送信が最初の送信か，再送信かを示すために用いる請求項７４に記載の方法。
【請求項８６】
無線接続ネットワークからの無線インタフェースを介した無線信号に反応するユーザ装置受信器であって，前記無線信号は該無線信号の後に到着するデータチャネル内のデータを見付けるために必要なパラメータを示し，また前記ユーザ装置に指定された複数のユーザ装置識別子の１つによって識別できるユーザ装置受信器と，
前記ユーザ装置において前記データチャネルを受信するための前記無線信号によって，前記ユーザ装置のダウンリンク搬送波指定を実行する信号プロセッサと，
を備える装置。
【請求項８７】
前記無線信号内のユーザ装置識別子が，前記ユーザ装置が前記データチャネルを受信するダウンリンク搬送波を明示的に示す明示的信号方式を用いる請求項８６に記載の装置。
【請求項８８】
前記ユーザ装置が前記データチャネルを受信するダウンリンク搬送波を示すために，前記無線信号にチャネル化符号を用いる暗黙的信号方式を用いる請求項８６に記載の装置。
【請求項８９】
前記無線信号における前記ユーザ装置識別子は，前記ダウンリンク搬送波の指定以外の物理層関連パラメータを示すために用いる請求項８６に記載の装置。
【請求項９０】
前記物理層関連パラメータは，ハイブリッド自動再送信要求プロセス識別子とする請求項８９に記載の装置。
【請求項９１】
前記物理層関連パラメータは，前記データチャネルが制御情報を搬送しているか，データを搬送しているかを示す請求項８９に記載の装置。
【請求項９２】
前記物理層関連パラメータは，前記データチャネルの送信信号が転送ブロックの最初の送信か，再送信かを示す請求項８９に記載の装置。
【請求項９３】
いくつかのパラメータを示すために，いくつかのユーザ装置識別子を１つのユーザ装置に割り当てる請求項８６に記載の装置。
【請求項９４】
前記ユーザ装置識別子は，前記搬送波を示すために用いる請求項８６に記載の装置。
【請求項９５】
前記ユーザ装置識別子は，ハイブリッド自動再送要求プロセスを示すために用いる請求項８６に記載の装置。
【請求項９６】
前記ユーザ装置識別子は，制御情報又はデータを示すために用いる請求項８６に記載の装置。
【請求項９７】
前記ユーザ装置識別子は，送信が最初の送信か，再送信かを示すために用いる請求項８６に記載の装置。
【請求項９８】
無線接続ネットワークから無線インタフェースを介して無線信号をユーザ装置において受信する手段であって，前記無線信号は該無線信号の後に到着するデータチャネル内のデータを見付けるために必要なパラメータを示し，また前記ユーザ装置に指定された複数のユーザ装置識別子の１つによって識別できる手段と，
前記ユーザ装置において前記データチャネルを受信するための前記無線信号によって，前記ユーザ装置のダウンリンク搬送波指定を実行する手段と，
を備える装置。
【請求項９９】
前記無線信号内のユーザ装置識別子が，前記ユーザ装置が前記データチャネルを受信するダウンリンク搬送波を明示的に示す明示的信号方式を用いる請求項９８に記載の装置。
【請求項１００】
前記ユーザ装置が前記データチャネルを受信するダウンリンク搬送波を示すために，前記無線信号にチャネル化符号を用いる暗黙的信号方式を用いる請求項９８に記載の装置。
【請求項１０１】
前記無線信号における前記ユーザ装置識別子は，前記ダウンリンク搬送波の指定以外の物理層関連パラメータを示すために用いる請求項９８に記載の装置。
【請求項１０２】
前記物理層関連パラメータは，ハイブリッド自動再送信要求プロセス識別子とする請求項１０１に記載の装置。
【請求項１０３】
前記物理層関連パラメータは，前記データチャネルが制御情報を搬送しているか，データを搬送しているかを示す請求項１０１に記載の装置。
【請求項１０４】
前記物理層関連パラメータは，前記データチャネルの送信信号が転送ブロックの最初の送信か，再送信かを示す請求項１０１に記載の装置。
【請求項１０５】
いくつかのパラメータを示すために，いくつかのユーザ装置識別子を１つのユーザ装置に割り当てる請求項９８に記載の装置。
【請求項１０６】
前記ユーザ装置識別子は，前記搬送波を示すために用いる請求項９８に記載の装置。
【請求項１０７】
前記ユーザ装置識別子は，ハイブリッド自動再送要求プロセスを示すために用いる請求項９８に記載の装置。
【請求項１０８】
前記ユーザ装置識別子は，制御情報又はデータを示すために用いる請求項９８に記載の装置。
【請求項１０９】
前記ユーザ装置識別子は，送信が最初の送信か，再送信かを示すために用いる請求項９８に記載の装置。
【請求項１１０】
多搬送波システム内のユーザ装置において実行する方法であって，
ダウンリンク上の無線信号を受信するユーザ装置を有し，
前記ダウンリンク上で受信される前記無線信号における物理層信号に応答して，前記多搬送波システム内の前記ユーザ装置において，高速ダウンリンク搬送波指定を実行する方法。
【請求項１１１】
高速共有制御チャネル内のユーザ装置識別子が，前記ユーザ装置が高速ダウンリンク共有チャネルを受信するダウンリンク搬送波を示す明示的方法を用いる請求項１１０に記載の方法。
【請求項１１２】
ユーザ装置が高速ダウンリンク共有チャネルを受信するダウンリンク搬送波を示すために，高速共有制御チャネルにチャネル化符号を用いる暗黙的方法を用いる請求項１１０に記載の方法。
【請求項１１３】
高速共有制御チャネルにおける前記ユーザ装置識別子は，前記ダウンリンク搬送波以外の物理層関連パラメータを示すために用いる請求項１１０に記載の方法。
【請求項１１４】
前記物理層関連パラメータは，ハイブリッド自動再送信要求プロセス識別子とする請求項１１３に記載の方法。
【請求項１１５】
前記物理層関連パラメータは，高速ダウンリンク共有チャネルが制御情報を搬送しているか，データを搬送しているかを示す請求項１１３に記載の方法。
【請求項１１６】
前記物理層関連パラメータは，高速ダウンリンク共有チャネルの送信信号が転送ブロックの最初の送信か，再送信かを示す請求項１１３に記載の方法。
【請求項１１７】
いくつかのパラメータを示すために，いくつかのユーザ装置識別子を１つのユーザ装置に割り当てる請求項１１０に記載の方法。
【請求項１１８】
前記ユーザ装置識別子は，前記搬送波を示すために用いる請求項１１０に記載の方法。
【請求項１１９】
前記ユーザ装置識別子は，ハイブリッド自動再送要求プロセスを示すために用いる請求項１１０に記載の方法。
【請求項１２０】
前記ユーザ装置識別子は，制御情報又はデータを示すために用いる請求項１１０に記載の方法。
【請求項１２１】
前記ユーザ装置識別子は，送信が最初の送信か，再送信かを示すために用いる請求項１１０に記載の方法。
【請求項１２２】
多搬送波システムにおいて使用するユーザ装置であって，
ダウンリンク上の無線信号に反応する受信器と，
前記ダウンリンク上の前記無線信号における物理層信号によって，前記多搬送波システム内の前記ユーザ装置において，高速ダウンリンク搬送波指定を実行する信号プロセッサと，
を備えるユーザ装置。
【請求項１２３】
前記信号方式は明示的とし，ユーザ装置識別子が前記ユーザ装置がデータチャネルを受信するダウンリンク搬送波を示す請求項１２２に記載の装置。
【請求項１２４】
前記信号方式は暗示的とし，前記ユーザ装置が前記データチャネルを受信するダウンリンク搬送波を示す信号を符号化するためにチャネル化符号を用いる請求項１２２に記載の装置。
【請求項１２５】
無線信号における前記ユーザ装置識別子は，前記ダウンリンク搬送波の指定以外の物理層関連パラメータを示すために用いる請求項１２２に記載の装置。
【請求項１２６】
前記物理層関連パラメータは，ハイブリッド自動再送信要求プロセス識別子とする請求項１２５に記載の装置。
【請求項１２７】
前記物理層関連パラメータは，前記データチャネルが制御情報を搬送しているか，データを搬送しているかを示す請求項１２５に記載の装置。
【請求項１２８】
前記物理層関連パラメータは，前記データチャネルの送信信号が転送ブロックの最初の送信か，再送信かを示す請求項１２５に記載の装置。
【請求項１２９】
いくつかのパラメータを示すために，いくつかのユーザ装置識別子を１つのユーザ装置に割り当てる請求項１２２に記載の装置。
【請求項１３０】
前記ユーザ装置識別子は，前記搬送波を示すために用いる請求項１２２に記載の装置。
【請求項１３１】
前記ユーザ装置識別子は，ハイブリッド自動再送要求プロセスを示すために用いる請求項１２２に記載の装置。
【請求項１３２】
前記ユーザ装置識別子は，制御情報又はデータを示すために用いる請求項１２２に記載の装置。
【請求項１３３】
前記ユーザ装置識別子は，送信が最初の送信か，再送信かを示すために用いる請求項１２２に記載の装置。
【請求項１３４】
多搬送波システムにおいて使用するユーザ装置であって，
ユーザ装置においてダウンリンク上の無線信号を受信する手段と，
前記ダウンリンク上で受信される前記無線信号における物理層信号によって，前記多搬送波システム内の前記ユーザ装置において，高速ダウンリンク搬送波指定を実行する手段と，
を備えるユーザ装置。
【請求項１３５】
前記無線信号内のユーザ装置識別子が，前記ユーザ装置が前記データチャネルを受信するダウンリンク搬送波を示す明示的方法を用いる請求項１３４に記載の装置。
【請求項１３６】
前記ユーザ装置が前記データチャネルを受信するダウンリンク搬送波を示す信号のためにチャネル化符号を用いる暗黙的方法を用いる請求項１３４に記載の装置。
【請求項１３７】
前記無線信号における前記ユーザ装置識別子は，前記ダウンリンク搬送波の指定以外の物理層関連パラメータを示すために用いる請求項１３４に記載の装置。
【請求項１３８】
前記物理層関連パラメータは，ハイブリッド自動再送信要求プロセス識別子とする請求項１３７に記載の装置。
【請求項１３９】
前記物理層関連パラメータは，前記データチャネルが制御情報を搬送しているか，データを搬送しているかを示す請求項１３７に記載の装置。
【請求項１４０】
前記物理層関連パラメータは，前記データチャネルの送信信号が転送ブロックの最初の送信か，再送信かを示す請求項１３７に記載の装置。
【請求項１４１】
いくつかのパラメータを示すために，いくつかのユーザ装置識別子を１つのユーザ装置に割り当てる請求項１３４に記載の装置。
【請求項１４２】
前記ユーザ装置識別子は，前記搬送波を示すために用いる請求項１３４に記載の装置。
【請求項１４３】
前記ユーザ装置識別子は，ハイブリッド自動再送要求プロセスを示すために用いる請求項１３４に記載の装置。
【請求項１４４】
前記ユーザ装置識別子は，制御情報又はデータを示すために用いる請求項１３４に記載の装置。
【請求項１４５】
前記ユーザ装置識別子は，送信が最初の送信か，再送信かを示すために用いる請求項１３４に記載の装置。
【発明の詳細な説明】
【技術分野】
【０００１】
本発明の分野は移動体通信であり，より特定すれば，例えば第３世代パートナシッププロジェクト（３ＧＰＰ）のはん用移動体通信システム（ＵＭＴＳ）地上無線接続（ＵＴＲＡ）及びそれ以降で用いられる信号方式である。
【背景技術】
【０００２】
例えばＷＣＤＭＡ（広帯域符号分割多元接続）システムなどの更に進化した移動体通信においては，すべてのサービスはＨＳＤＰＡ（高速ダウンリンクパケット接続）又はＨＳＵＰＡ（高速アップリンクパケット接続）（非常に短いフレーム（送信時間間隔すなわちＴＴＩ）を用いるリアルタイム（ＲＴ）サービスを含む）を用いて実現できる。また従来の回線交換サービスは，パケット交換領域に移行しつつある。本発明は現行の移動体通信環境を踏まえて開示されているが，それに限定するものではなく，将来の進化形態にも同様に適用されるものとして広く考えることが望ましい。
【０００３】
ＵＭＴＳ運用事業者は，ＷＣＤＭＡシステムにおいてパケット交換サービスを実現するためにただ１つの周波数を用いるだけでよいが，複数の５ＭＨｚ周波数ブロックが利用できる。潜在的に非対称な通信容量への要求に合わすため，異なる数のダウンリンク（ＤＬ）搬送波及びアップリンク（ＵＬ）搬送波が同時に用いられることが予知される。
【０００４】
スペクトラム効率及び利用できるスペクトラムを柔軟に使用できることが，費用効率のよい将来の解決策の要素になると考えられる。ＤＬ方向の利用可能な無線資源を効率的に利用するためには，システムにおいて複数のＤＬ搬送波が利用可能なとき，別々の利用者にＤＬ搬送波を高速かつ動的に割り当てる必要がある。現行のＷＣＤＭＡ展開計画では，複数のＤＬ搬送波プールからＨＳＤＰＡ搬送波を高速に割り当てることができる信号方式又は信号構造体は提供されていない。ＷＣＤＭＡは今のところ多搬送波の解決策を有していない。
【０００５】
（例えば上述の多搬送波又はＩＰ電話（ＶｏＩＰ）のような追加の新サービスなどの）新たな特徴をＨＳＤＰＡに導入するときは，（例えば多搬送波システムにおける搬送周波数など）新規パラメータを通知しなければならないか，若しくはすべてのパラメータ又は現在規定されているとおりのこれらのパラメータの全体範囲でなくてもよい（例えば低いデータ速度のために，ＶｏＩＰについては大きなブロックサイズは決して利用されない）。したがって新規パラメータを通知することができるか，又は既存のパラメータをより信頼性高く通知するために，信号チャネル（高速共有制御チャネルＨＳ−ＳＣＣＨ）（例えば転送ブロックサイズ（ＴＢＳ）フィールドがＶｏＩＰに対して短縮されると，より多くの伝送路符号化が可能になる）。
【０００６】
ＨＳ−ＳＣＣＨは，高速ダウンリンク共有チャネル（ＦＳ−ＤＳＣＨ）のパラメータを通知するために用いられる。主要パラメータの１つはユーザ装置識別子（ＵＥ ＩＤ）であって，どのユーザ装置が当該ＨＳ−ＤＳＣＨを復号するかを示す。現在は（現行の仕様によって）ユーザ装置当たりただ１つのＵＥ ＩＤだけが割り当てられる。各パラメータ及びＨＳ−ＳＣＣＨのフレーム構造は固定である。
【０００７】
ＨＳ−ＳＣＣＨの既存の信号構造体は，３ＧＰＰ ＷＣＤＭＡ仕様TS 25.211及びTS 25.212において，ＨＳＤＰＡについて規定されている。ここでいくつかのビットフィールドは，ＵＥへの信号通知のために予約されている。例えば3GPP TS 25.212 V6.4.0（２００５年３月）の４．６章を参照されたい。しかしＷＣＤＭＡの後のリリースでは，上述の進化のために，ＨＳ−ＰＤＳＣＨ（高速物理ダウンリンク共有チャネル）上のデータを受信するＵＥに別の情報を示す必要が生じるかもしれないし，又はＵＥがＢＳ（基地局（３ＧＰＰにおいてはノードＢと呼ばれる）のＭＡＣ（媒体接続制御）から同時に複数のＨＳ−ＤＳＣＨ（高速ダウンリンク共有チャネル）セッションを受信する必要があるかもしれない。現在３ＧＰＰ仕様に規定されているＨＳ−ＳＣＣＨ信号構造体には，搬送周波数，若しくは必要又は可能ないくつかのほかの新規Ｌ１／ＭＡＣパラメータを指示する余裕がない。
【０００８】
ユーザ装置が新規パラメータ集合を受信する必要があることだけが単に問題であるときは，ＲＲＣ信号通知によってこれをユーザ装置に通知することができる。したがってＵＥは現在と同様のパラメータであるが，別のフレーム構造を想定するパラメータを受信できるであろう。しかしＵＥが複数サービスを受信する必要があるときは，ＵＥは，サービス又はあるほかの要因によって，複数のＨＳ−ＳＣＣＨフレーム構造又は形式を受信する必要があるかもしれない。特定の送信時間間隔（ＴＴＩ）においてどのＨＳ−ＳＣＣＨフレーム構造が用いられているか（すなわちどのパラメータが信号であり，値の範囲はいくつであり，どうやって伝送路符号化されているか，など）をＵＥに通知する機構がない。
【０００９】
ＤＬ信号通知資源のより効率的な利用は，ＤＬ ＨＳＤＰＡ信号方式に，いくらかの新規な，別のＨＳ−ＳＣＣＨ構造体を提供することによって達成することができる。例えば，ＨＳ−ＰＤＳＣＨ上のいくらかの送信に関して，必ずしも全部の規定されたフィールドは必要ではないか，潜在的に新規な信号方式を追加するか，又は現存するＨＳ−ＳＣＣＨフィールドのいくつかにはより少ない数のビットで十分である。３ＧＰＰ仕様の後のリリースにおいて別のＨＳ−ＳＣＣＨ構造体を規定することは可能であるが，これは，再設計された符号化，分割，エラー検出，などを有する別のＨＳ−ＳＣＣＨとする必要がある。システムに新規なＨＳ−ＳＣＣＨを追加するだけでは，ＵＥがどのＨＳ−ＳＣＣＨ構造体を使って受信するかを知る必要があるという問題も引き起こす。反対に上述のように，ＶｏＩＰサービス等のようにＷＣＤＭＡに新規信号構造体を導入する複数の理由がある。
【００１０】
パケット交換情報，及びいくらかの新規なＬ１／ＭＡＣパラメータのような信号方式の強化と共に，ＨＳＤＰＡを強化する必要性の観点で，ＨＳＤＰＡが近い将来広く展開するであろうことを予想して，ＨＳ−ＳＣＣＨへの変更を避けたい要望は当然あるだろう。本発明は，ＨＳ−ＳＣＣＨ信号構造体を変えることなくこれら新規パラメータを通知する方法，又は後方互換，すなわち既存のＨＳ−ＳＣＣＨ信号構造体に一致するように，既存ＨＳ−ＳＣＣＨが別の信号方式を用いて信号通知を行うように修正する方法，について提案する。
【００１１】
この課題はまだ解決されていない。本発明は多搬送波ＷＣＤＭＡ又はＶｏＩＰに特に限定したものではないことに再度注意されたい。
【発明の開示】
【課題を解決するための手段】
【００１２】
本発明の第１態様によれば，１つのユーザ装置に関する多数のユーザ装置識別子を特定するステップと，上記多数のユーザ装置識別子それぞれに，多数の異なる信号構造体の１つを関連させるステップと，を有する方法が提供される。この方法は，ネットワーク要素，ユーザ装置，又はその双方において実行できる。識別子は，無線インタフェースのいずれかの側のデバイス間で調停できる。本発明の方法の更なる詳細を以降に開示する。
【００１３】
本発明の第２態様によれば，要求信号に反応して１つのユーザ装置に対して多数のユーザ装置識別子を示す信号を供給する特定モジュールと，多数のユーザ装置識別子を示す上記信号に反応して，多数の異なる信号構造体の１つを上記記多数のユーザ装置識別子のそれぞれに割り当て，前記多数のユーザ装置識別子及びその関連信号構造体を示す信号を供給する関連モジュールと，を備えるデバイスが提供される。このデバイスはネットワーク要素及びユーザ装置内で用いることができる。本発明の第２態様によるデバイスの更なる詳細を以降に開示する。
【００１４】
本発明の第３態様によれば，１つのユーザ装置に関して多数のユーザ装置識別子を特定する手段と，多数の異なる信号構造体の１つを前記多数のユーザ装置識別子のそれぞれに関連させる手段と，を備えるデバイスが提供される。本発明の第３態様によるデバイスは，ネットワーク要素及びユーザ装置内で用いることができる。
【００１５】
本発明の第４態様によれば，本発明の第１態様による方法を実行することができる，計算機可読媒体に記憶された計算機プログラムが提供される。あるいは上記計算機プログラムは，１つのユーザ装置に関して多数のユーザ装置識別子を特定し，前記多数のユーザ装置識別子それぞれに，多数の異なる信号構造体の１つを関連させる。
【００１６】
本発明の第５態様によれば，本発明の第２態様又は第３態様若しくは第２態様及び第３態様双方による２つのデバイスを，無線インタフェースの双方の側に任意の組合せで備えるシステムが提供される。
【発明を実施するための最良の形態】
【００１７】
３ＧＰＰ ＷＣＤＭＡシステムにおいて，基地局（ノードＢ）は信号通知（制御）情報を４つの異なる高速共有制御チャネル（ＨＳ−ＳＣＣＨ）に送信する。４以上でも可能である。ＨＳ−ＳＣＣＨは，例えば２ｍｓ送信時間間隔（ＴＴＩ）など，同一の反復する時間間隔で並行して送信される。ＨＳ−ＳＣＣＨは，セルに存在する種々のユーザ装置（ＵＥ）が監視できるようにセル全体又はその一部に送信される。このときＵＥは，ノードＢに周期的に（例えば１０ｍｓごと）チャネル品質指示子（ＣＱＩ）信号を返送する。先行技術によれば，特定のＵＥについての制御情報は，４つの並行するＨＳ−ＳＣＣＨのうちただ１つに含まれる。ＵＥが４つすべてのＨＳ−ＳＣＣＨを検査できるときは，４つの可能性のあるチャネルの１つにおいてＵＥ識別子を検査することによって，自分にあてたＨＳ−ＳＣＣＨを見付けようとする。ＨＳ−ＳＣＣＨの第１部分で自分に唯一のＵＥ ＩＤを検出したときは，わずかに後から到着するＨＳ−ＰＤＳＣＨ（高速物理ダウンリンク共有チャネル）から抽出したデジタルサンプルに含まれる情報を適切に処理できるように，当該ＨＳ−ＳＣＣＨの第２部分を読み込む。物理チャネルを復調して（チャネル化符号単位で）復号するために必要なパラメータは，各ＴＴＩの第１部分，すなわちＨＳ−ＳＣＣＨに用いられる２ｍｓの送信時間間隔の最初の１／３，に含まれる。２ｍｓＴＴＩは３つの均等な期間スロットに分割され，第１部分は期間（２／３ｍｓ）中に１スロット，第２部分は期間中２スロット（４／３ｍｓ）であり，復調し復号した情報を更に処理するために必要な情報を含んでいる。ＨＳ−ＰＤＳＣＨフレームはＨＳ−ＳＣＣＨの第１部分の後から始まる。
【００１８】
本発明によれば，２以上のＵＥ識別子を１つのＵＥに割り当てる，すなわち指定することができ，各識別子は特定の送信時間間隔にどの信号構造体が用いられているかを示すか，又はある新規パラメータ値を示すか，又はその双方を示す。
【００１９】
一実施例によれば，２以上のＵＥ ＩＤが１つのＵＥに割り当てられ，すなわち指定され，かつＵＥ ＩＤが現在のＴＴＩにどのＨＳ−ＳＣＣＨフレーム構造が使われているかを示すとき，この方法によって構造体を動的に変更することができる。例えば，ＶｏＩＰに最適化された第１構造体と，別のサービスに既に指定されたもののような通常情報用の別の構造体と，のような異なるＨＳ−ＳＣＣＨ構造体の要望があるとき，本発明によってＵＥ ＩＤを１つのＵＥに，ＶｏＩＰ用に１つ及びそれ以外用にもう１つ，割り当てる，すなわち指定することができる。ノードＢがＵＥにＶｏＩＰパケットを送信したとき，ＵＥはＵＥ ＩＤを用いて現在（現在のＴＴＩにおいて），ＨＳ−ＳＣＣＨ構造体が今や新規なＶｏＩＰに最適化した構造体であることを示す。そしてほかのデータに関しては，もう１つのＵＥ ＩＤ及びＨＳ−ＳＣＣＨフレーム構造体が用いられる。
【００２０】
又は別の実施例によれば，高データ速度だけをある搬送波（ＤＯ−ＤＳＣＨ）に割り当て，低いデータ速度はコア帯域上の搬送波を割り当てることができる。次に，高速データ速度搬送波（ＨＳ−ＳＣＣＨはまた，搬送波及び帯域も指示する）に対応するために別のＨＳ−ＳＣＣＨフレーム構造を有し，そしてコア帯域の情報に対応するために通常の構造を有することができる。ＵＥは２つのＵＥ ＩＤ，すなわち１つは通常運用用，もう１つは多搬送波運用用，を割り当てられる。したがってＵＥ ＩＤは，どのフレーム構造が使われているかをＨＳ−ＳＣＣＨ上で示す。
【００２１】
ＨＳ−ＳＣＣＨ信号構造体は現在3GPP TS 25.212，V6.4.0（２００５年３月）において規定されており，次に掲げるパラメータを搬送する（TS 24.212の４．６章を参照）。変調方式（１ビット），ユーザに指定されたチャネル化符号集合（７ビット），並びに転送ブロックサイズ（６ビット），ＨＡＲＱプロセスＩＤ（３ビット），冗長性及び配置バージョン（３ビット），新規データ指示子（ＮＤＩ）（１ビット），ＵＥ特定ＣＲＣ（１６ビット）。ＵＥ特定ＣＲＣは通常の１６ビットＣＲＣとして計算され，１６ビットのＵＥ ＩＤ（Ｈ−ＲＮＴＩ（ＨＳ−ＤＳＣＨ無線ネットワーク一時識別子））との排他的論理和が取られる。ＵＥ特定ＣＲＣと同時に用いるだけでなく，ＵＥ ＩＤはまたＨＳ−ＳＣＣＨの第１スロットのＵＥ特定マスクにも用いられる（上記によって示唆されるとおり，ＨＳ−ＳＣＣＨ ＴＴＩの第１スロットは，変調方式及びチャネル化符号集合パラメータを含む）。ＵＥ特定マスク及びチャネル化符号集合パラメータの詳細については，特に３ＧＰＰ仕様書TS 25.212の図１９符号化チェーンを参照されたい。ＨＳ−ＳＣＣＨ送信の第１スロットのＵＥ特定マスクを用いて，ＵＥは素早く送信が自己のものか，そうでないか，を識別することができる。マスクが一致したとき，ＵＥは指示されたＨＳ−ＰＤＳＣＨの符号チャネルの復調を開始し，同時にＨＳ−ＳＣＣＨの残りの部分（更なるプロセス情報を有する第２部分）を読み出す。ＨＳ−ＳＣＣＨの終わりにあるＵＥ特定ＣＲＣは送信がこのＵＥにあてたものであり，同時にパラメータが正しく（エラーなしで）受信されているかを確認する。
【００２２】
本発明によれば更に，特定のＵＥと関連する複数のＵＥ ＩＤも別のＨＳ−ＳＣＣＨ信号構造体，すなわち前の段落で記述したものと異なる構造体を示すことができる。
【００２３】
このように本発明によれば更に，例えば図２に示すとおり，例えばＵＥが受信できる各可能性のあるＨＳ−ＳＣＣＨ構造体の１つなど，１つのＵＥに複数のＵＥ ＩＤを割り当てるばかりでなく，複数の可能性のある信号構造体の任意の１つと関連付けるように，ＵＥ ＩＤを割り当てできるようにすることが提案される。ＵＥ ＩＤと対応するＨＳ−ＳＣＣＨ構造体との対応付けは，例えばＵＥとネットワークとの間で，コネクション設定フェーズにおいてＲＲＣ信号通知を介して合意を得ることができる。ＵＥ ＩＤは，今日用いられているのと同一の方法でＨＳ−ＳＣＣＨ上で用いられる。第１スロットのＵＥ特定マスク及びＵＥ特定ＣＲＣ双方については，特定ＵＥが自分に指定された２以上のＵＥ ＩＤを有する可能性をはない。
【００２４】
ここで図１Ａを参照すると，デバイス１０は受信器モジュール１２と，信号プロセッサ１４と，送信器モジュール１６と，を備える。デバイス１０は例えば，基地局すなわちノードＢのようなネットワーク要素であってもよいし，若しくはユーザ装置すなわち移動機であってもよい。このような場合，本発明がそれに制限されるものでなく，受信器モジュール及び送信器モジュールは，無線インタフェース上で１又は複数のアンテナを介して，別のデバイスと通信する。デバイス１０が基地局すなわちノードＢであるときは，デバイスは３ＧＰＰ仕様書において「ユーザ装置」として知られる移動機及び無線インタフェースを介して通信することができる。デバイス１０がユーザ装置であるときは，ノードＢすなわち基地局をなすネットワーク要素及び無線インタフェースを介して通信する。どちらの場合も思想は同一であり，図１Ａに示すデバイス１０は，例えば接続点であるコアネットワーク側か，又は無線インタフェースのユーザ装置側かいずれかにおける全体又は一部として一般に説明される。また，一連のモジュールはある順序で直列に接続されているように示されているが，この順序は変えてもよく，各モジュールに関して特定される機能が任意のあるモジュール又は各モジュールの任意の組合せについて示されている順序の前又は後に実行できるように再配置できることを理解されたい。また各モジュールは，本発明から逸脱することなく追加又は削除してもよいことを理解されたい。また換言すれば，図示されていない多少のモジュールを，本発明を実行するために図示されているモジュールと組み合わせて用いることができることを理解されたい。換言すればある実施例においては，あるモジュールを省略し，あるほかのモジュールを追加してもよい。更に例示した機能は別のエンティティによって実行することができ，同一の「デバイス」によって実行する必要はない。したがって「デバイス」という用語は，そのような意味で理解することが望ましい。例えばある機能の一部をあるデバイスによって実行し，同一の機能のもう１つの部分をもう１つのデバイスによって実行することも可能であろう。このように機能を区分するとき，その機能の一部を無線インタフェースの一方の側で実行し，残りの部分を反対側で実行することすら可能である。したがって，図１Ａのデバイス１０によって実行される信号処理の説明は，例示した機能を，必要な状況によって又は設計者の選択によって，任意の順序又は任意の位置で実行できる可変信号処理デバイス又は方法として理解することが望ましい。図１Ａのデバイス１０は最初に，例えば基地局すなわち３ＧＰＰネットワークのノードＢなどのネットワーク要素又はその一部として説明され，続いて図１Ｂに関連して同一の３ＧＰＰネットワークにけるユーザ装置の役割又はその一部を満たすものとして説明される。
【００２５】
ここでは図１Ａのデバイス１０がノードＢのようなネットワーク要素であると仮定すると，受信器モジュール１２は無線インタフェースを介したユーザ装置から線１８によって，ネットワークに複数のサービスを要求する要求信号を受信する。受信器モジュールはこの要求信号を処理して，ネットワーク要素の信号プロセッサ１４へ線２０上で処理した要求信号を供給する。この機能及び説明するほかの機能は，コアネットワーク内のどこでも実行できる。本発明の実施例によれば，特定モジュール２２は線２０上の処理した要求信号に反応して，複数サービス要求を行った１つのユーザ装置に関する多数のユーザ装置識別子を特定するものである。例えば特定モジュール２２は，１つのユーザ装置が要求した各サービスに別個のユーザ装置識別子を指定することができる。特定モジュール２２が実行した特定処理の結果は，線２４上の信号によって関連モジュール２６に通知され，関連モジュールは本発明によって，線２４上の信号が特定する多数のユーザ装置識別子それぞれに信号構造体，パラメータ，又はその双方を関連付ける。これら信号構造体，パラメータ又はその双方は，利用可能な多数の異なる信号構造体，パラメータ，又はその双方から関連モジュールによって選択される。関連モジュールは，ユーザ装置が要求したサービスに適当な構造体，パラメータ，又はその双方を指定することができる。次に関連モジュール２６は，関連モジュールが選択し，特定モジュールが特定した上記多数のユーザ装置識別子及びその関連信号構造体，パラメータ，又はその双方を示す信号を線２８上に供給する。図には２つの別のモジュール２２，２６として示されているが，これらモジュールの１つ又は双方は，ユーザ装置識別子を割り当て，指定する１つのモジュールと考えてもよく，ユーザ識別子はＨＳ−ＳＣＣＨ構造体，パラメータ，又はその双方を示すか，若しくは既存のＨＳ−ＳＣＣＨ構造体におけるあるパラメータの存在を示すことを認識されたい。
【００２６】
調停モジュール３０は，関連モジュール２６からの線２８上の信号に反応して，多数のユーザ装置識別子及びその関連信号構造体，パラメータ，又はその双方についてユーザ装置が処理する前に調停するために，無線インタフェースを介してユーザ装置へ返送するために線３２上に信号を供給することができる。送信モジュール１６は線３２上の信号に反応し，ユーザ装置の考慮用に，提案する識別子及び信号構造体，パラメータ，又はその双方として多数のユーザ装置識別子及びその関連信号構造体，パラメータ，又はその双方をユーザ装置へ送信する。ユーザ装置が合意したときは，受け入れを線１８上の信号によって無線インタフェースを介してデバイス１０へ通知し，信号は受信器モジュール１２が受信し，線３４上の信号として処理されて調停モジュール３０へ転送される。ユーザ装置が提案された多数のユーザ装置識別子及び関連信号構造体，パラメータ，又はその双方に合意したときは，調停モジュール３０は線３４上の信号からそのことを判定することができ，次に調停済み信号を線３６によってサービスモジュール３８へ供給する立場になり，サービスモジュールはユーザ装置が要求した対応する異なるサービスの，以前に調停した信号構造体，パラメータ，又はその双方を用いて，多数の調停済みユーザ装置識別子及びその関連信号構造体，パラメータ，又はその双方を用いて，送信モジュール１６を介してネットワークからユーザ装置へ，要求サービスを配信する処理を実行する。これは，サービスモジュール３８から送信器モジュール１６へ供給される，線４０上の信号によって示される。送信器は，線４１上の信号によって，無線インタフェースを介してサービスを提供するように示されている。調停処理中にユーザ装置から返送された線３４上の信号通知は，ユーザ装置がある理由で提案された多数のユーザ装置識別子及び関連する信号構造体，パラメータ，又はその双方を受け入れられないことを示し，調停モジュールは線４２上の信号を特定モジュール２２に返送し，特定モジュールはその事実を通知し，提案を変更するか，再提案を行うかいずれかである反復処理を要求する。この方法で，双方が合意できる多数のユーザ装置識別子及び適切な関連する信号構造体，パラメータ，及びその双方を決定するためにネットワーク要素とユーザ装置との間で調停を繰り返すことができる。図には３つの別個のモジュール２２，２６，３０として示されているが，これらモジュールの１又は複数は，ＨＳ−ＳＣＣＨ構造体又は既存のＨＳ−ＳＣＣＨ構造体内のあるパラメータの存在を示すユーザ装置識別子を割り当て又は指定する１つのモジュールと見なしてもよい。サービスモジュールは２つの別個のモジュールを含み，１つは本発明によって関連ＵＥ識別子を有する信号通知（例えばＨＳ−ＳＣＣＨ上で）を行うものであり，もう１つはサービスそのものを（例えばＨＳ−ＰＤＳＣＨ上で）提供するものであってよい。
【００２７】
例示した実施例において，サービスモジュールが提供して線４０上を送信器モジュールに供給されるサービスは，実際には転送チャネルを用いてアンテナと共に送信器モジュールが信号線４１上を無線インタフェース上で配信することを理解されたい。転送チャネルは特定処理（ＵＥ識別子の指定）と，関連処理（ＵＥ ＩＤと信号構造体，パラメータ，又はその双方との関連付け）と，そして今説明した調停と，に用いられる信号通知チャネル（例えばＨＳ−ＳＣＣＨ）とは異なる。前述のＨＳＤＰＡ環境においては，ＨＳ−ＰＤＳＣＨは，ＨＳ−ＳＣＣＨ（信号通知）フレームが既に始まった後に送信され，それによってＨＳ−ＳＣＣＨ ＴＴＩの第２部分の中間点で着信する。ＨＳ−ＳＣＣＨは受信器が転送チャネルが搬送するデータを復調し，復号する（チャネル符号単位で）ために必要とする情報を含んでいるので，わずかに前もって送信される。換言すれば，例えばＨＳ−ＰＤＳＣＨは，ＨＳ−ＳＣＣＨの第３（最後の）スロットの始めに着信し始めるのが望ましい。ＨＳ−ＰＤＳＣＨフレームは，本実施例においてはＨＳ−ＳＣＣＨ ＴＴＩと同一の期間，すなわち２ｍｓであることに言及する必要がある。このようにそれらは部分的に重なるが，ＨＳ−ＳＣＣＨ ＴＴＩはＨＳ−ＰＤＳＣＨ ＴＴＩの始めより４／３ｍｓ前に始まる。
【００２８】
図１Ａのデバイス１０はこれまでネットワーク要素の役割をするものとして説明してきたが，ユーザ装置の役割もすることができることは既に述べた。ここでそのような役割について詳細に説明する。図１Ｂ左側にデバイス１０ａと記した上述のネットワーク要素実施例を示す。接尾辞”ａ”を除いて図１Ａで用いた上述の参照符号を図１Ｂの左側で繰り返し使用している。右側にはデバイス１０ｂと記したユーザ装置実施例を示す。図１Ｂのシステム実施例においてユーザ装置１０ｂは，例えば調停モジュール３０ｂによってネットワーク要素１０ａへ上述の複数サービスの要求を送信することができる。しかし要求は，上述のある別の（図示していない）モジュールによって実行することができる。調停モジュール３０ｂが要求を送信したとき，線３２ｂ上の信号は送信モジュール１６ｂに要求を搬送し，要求をアンテナ１７を介してアップリンク１７ａ上でノードＢ又は基地局をなすネットワーク要素１０ａに要求を送信する。このような要求の受信については，図１Ａに関するすぐ上の説明において，ネットワーク要素１０ａの実施例に関連して既に説明している。既に説明したとおりこのような要求は，ネットワーク要素１０ａにおいて，ユーザ装置１０ｂとの調停処理結果と同時に処理される。ネットワーク要素１０ａが多数のユーザ装置識別子及び関連信号構造体，パラメータ，又はその双方を提案し，ユーザ装置にアンテナ１７ｃを介して，ダウンリンク１７ｂの線４１ａ上で同じものを通知するとき，それはユーザ装置１０ｂ実施例の受信器モジュール１２ｂにおいて受信され，線３４ｂ上で調停モジュール３０ｂに供給される。ユーザ装置実施例１０ｂにおいて，調停モジュール３０ｂは提案され，ネットワーク要素によって送信され，及び同一内容で合意した識別子及び関連信号構造体，パラメータ，又はその双方を考慮してもよい。この場合調停モジュール３０ｂは信号を線３２ｂ上で送信器モジュール１６ｂへ送信し，それに応答して受諾信号が無線インタフェースを介してネットワーク要素１０ａへ返送される。調停モジュール３０ｂがその提案を受け入れられないときは，ＵＥ１０ｂは単に非受諾を逆に通知し，ネットワークが前に説明したとおり新規提案を行うようにさせる。又は，例えば線４２ｂ上で信号をユーザ装置１０ｂの特定モジュール２２ｂへ供給し，そしてユーザ装置は自身の多数のユーザ装置識別子を提案し，そのうちの１つを信号線２４ｂ上を関連モジュール２６ｂへ供給する。ここで各識別子に適当な信号構造体，パラメータ，又はその双方は，識別子と関連付けられて，調停モジュール３０ｂへ線２８ｂ上を逆に通知される。そして調停モジュール３０ｂは，同じものを送信器モジュール１６ｂを介してネットワーク要素に線３２ｂ上を逆に提案することができる。
【００２９】
一方図１Ｂに示すデバイス１０ｂの実施例におけるユーザ装置は，始めにネットワーク要素１０ａから提案を受信することなく，本発明の方法を自身で起動することができる。換言すればユーザ装置１０ｂは，ある（図示していない）アプリケーション層モジュールによって，１又は複数のサービスが所望されていることを特定モジュール２２ｂに通知することができ，したがって特定モジュールはユーザ装置１０ｂが使用するための対応する１又は多数のユーザ装置識別子を特定し，その識別子を信号線２４ｂ上で関連モジュール２６ｂへ送信する。ここで関連付けは要求サービスを考慮して，対応する信号構造体，パラメータ，又はその双方と，多数のユーザ装置識別子との間で行われる。多数のユーザ装置識別子及び関連信号構造体，パラメータ，又はその双方を提案する準備ができたとき，その識別子が信号線２８ｂ上を調停モジュール３０ｂへ送信され，そして調停モジュールは信号をネットワークが考慮するために，無線アップリンク上をネットワーク要素１０ａへ送信するように，線３２ｂ上で送信器モジュール１６ｂへ供給する。ネットワークが合意すると受諾信号が無線ダウンリンク１７ｂ上に送信され，それをユーザ装置１０ｂのアンテナ１７が受信し，そして線１８ｂ上を受信器モジュール１２ｂへ供給され，そこで処理され，そしてユーザ装置１０ｂの調停モジュール３０ｂへ線３４ｂ上を逆に供給される。多数のユーザ装置識別子及び関連信号構造体，パラメータ，又はその双方が，ユーザ装置及びネットワーク要素双方によって合意されると，調停モジュール３０ｂは調停が成功した多数のユーザ装置識別子及び関連信号構造体，パラメータ，又はその双方を，信号線３６ｂ上をサービスモジュール３８ｂへ通知し，サービスモジュールは，ネットワークサービスの配信及び消費にネットワーク要素によって参加する前に情報を処理する。ネットワークサービスは，ネットワーク要素へのアンテナ１７を介したアップリンクの線４０ｂ上の情報送信と，ネットワーク要素１０ａからユーザ装置１０ｂへのダウンリンク１７ｂの線１８ｂ上を送信されるサービスの受信と，の双方を含む。ＨＳ−ＰＤＳＣＨ上のデータペイロードパケットをなすサービスをサービスモジュールが送信する前に，サービスモジュールはそのサービスに対応して以前に指定されたＵＥ識別子を用いて，ＨＳ−ＳＣＣＨ上で対応する信号を送信する。受信器モジュール１２ｂはそのＨＳ−ＳＣＣＨ信号構造体を受信し，特定モジュール２２ｂに供給する。そこで信号構造体が検査され，特定の１つのＵＥ１０ｂに属する（以前に指定された）ことが認識される。そして特定モジュールは，その特定のＵＥ ＩＤを関連モジュール２６ｂへ通知し，対応する信号構造体，パラメータ，又はその双方が決定される。そしてこの情報は，引き続いて着信するペイロードを有するサービスパケットを解釈する際に用いるため，サービスモジュールに直接供給することができる。そして受信器モジュール１２ｂは，ダウンリンクの線１８ｂ上で配信されるサービスパケットを受信し，ダウンロードしたサービスパケットをＵＥ１０ｂ内で解釈し，消費するため，サービスモジュール３８ｂに線４３上で直接，すなわち高次層で供給することが��きる。
【００３０】
図１Ａ及び１Ｂに関連して上述したネットワーク要素及びユーザ装置の実施例は種々のモジュールの組合せを含むハードウェアとして示されているが，これらのモジュールはまた，特定された機能を実行する手段を含み，それで特定モジュールは１つのユーザ装置に対する多数のユーザ装置識別子を特定する手段に対応し，関連モジュールは，信号構造体，パラメータ，又はその双方と，多数の異なる信号構造体，パラメータ，又はその双方の中から，多数のユーザ装置識別子のそれぞれに信号構造体，パラメータ，又はその双方を関連付ける手段に対応する。調停モジュールは，識別子を調停する調停手段と見なすことができ，サービスモジュールは無線インタフェースを介して搬送されるサービスを提供し，消費し，又はサービスに参加する手段と見なすことができる。このようなサービスは，ＶｏＩＰのようなリアルタイムサービス，リアルタイムサービスほどには遅延に影響されないデータサービス，又はその類似物を含んでもよい。またこのような手段は，図７の信号プロセッサ，若しくはＡＳＩＣ又はＤＳＰのような均等なハードウェア構造物によって実行されるコード化された命令によって実行される図５及び６のフローチャートに関連して以降に説明する機能を含むものと理解されたい。
【００３１】
ＨＳＤＰＡ環境で用いる本発明の実施例は，限定ではないが，ＨＳ−ＳＣＣＨの第１部分が現状と代わらないことを要する。すなわち制御ビットの数（＝８）は同一であり，チャネル符号化と，分割と，ＵＥ特定マスクと，も同様である。これら８個の制御ビットの内容は，ＵＥ ＩＤに依存してもよい。第２部分は変更してもよい。すなわち，制御ビットの数及びチャネル符号化，分割，等も異なってよく，したがって例えば図２に示すように将来も使える。前に述べたように，ＨＳ−ＳＣＣＨの第１部分は８ビットであり，１ビットは変調方式用，７ビットはチャネル化符号集合用である。これらは畳み込み符号化されＵＥ ＩＤから得られたシーケンスでマスクされる。ＶｏＩＰ又はあるほかの低ビット速度サービスについては，送信するビット数は少なくてよく，通常はＱＰＳＫ変調だけが用いられ，ほんのわずかな，例えば１つ又は２つのチャネル化符号（すなわちＨＳ−ＰＤＳＣＨ）だけが必要である。したがってこのサービス又はユーザにＱＰＳＫだけを用いるときは，ＨＳ−ＳＣＣＨ上に変調方式を示す必要はない。類似して最大２つのチャネル化符号だけが必要なときは，チャネル化符号集合は５ビットで示すことができる（４ビットは符号の開始点を示し，１ビットは符号の数，すなわち１又は２，を示す）。次にＨＳ−ＳＣＣＨ第１部分の残りの３ビットは，ほかの目的に使う（例えば，ほかのパラメータを通知する）ことができる。可能性のあるチャネル化符号の量が例えば８など小さいときは，符号開始点を示すために３ビットだけが必要である。この場合全体では４ビットだけが必要であり，したがってその性能は，畳み込み符号化の前にそのビットを２回反復するだけで改善できる。符号を反復する代わりにほかのより強力なブロック符号を用いて，マスク及び畳み込み符号化構造を変更することなく，第１部分の信号ビットの性能を改善することができる。ＵＥはＵＥ ＩＤ（第１部分をマスクするために用いられる）を用いて，第１部分の８ビットによってどのパラメータが通知されているかを知る。更に，第１部分を受信した後，検出されたＵＥ ＩＤ（第１部分をマスクするために用いられる）を用いて，ＵＥはどのようにＨＳ−ＳＣＣＨの第２部分を解釈するかを知る。さて第２部分を完全に変更することも可能である。信号ビットの数，及びそれらのビットの意味も異なってよい。チャネル化符号さえも，現在の仕様で用いられているものとは異なる。例えばＶｏＩＰの場合，転送ブロックサイズ（ＴＢＳ）はより限定され，６ビット未満が割り当て可能である。更に冗長性バージョンの数はもっと少なくともよい。より少ない信号ビットによって，より強固なチャネル符号化を用いることができ，したがって必要な送信電力はより少なくなる。あるいは，複数又はほかの信号パラメータを送信してもよい。
【００３２】
このように，これまで詳細に説明したとおり本発明が非常に必要とされる１つの例は，ＨＳ−ＤＳＣＨ上のＶｏＩＰ送信である。ＶｏＩＰパケットは通常小さく，現在ＨＳ−ＳＣＣＨで規定されているすべての制御ビットは必要ではない。ＶｏＩＰにより最適化したＨＳ−ＳＣＣＨ信号構造体を規定することができる（例えば第２部分のより強固なチャネル符号化による）。したがってＶｏＩＰ情報及びほかのデータ情報双方を受信するＵＥは，２つのＵＥ ＩＤ，すなわち１つはＶｏＩＰ用，残りは残りのデータ情報用，を設定するであろう。ＶｏＩＰパケットがＵＥに送信されると，ＶｏＩＰ特定のＵＥ ＩＤ及び対応するＨＳ−ＳＣＣＨ信号構造体が用いられ，そしてほかのデータをＵＥに送信するときは，もう１つのＵＥ ＩＤを有する通常のＨＳ−ＳＣＣＨ信号構造体が使われるであろう。
【００３３】
図２は，ＨＳ−ＳＣＣＨ第１部分に用いられるＵＥ ＩＤを主体とするマスクによって，信号構造体（Ａ，Ｂ又はＣ）のどれがＨＳ−ＳＣＣＨ第２部分に用いられているかを示すことを示している。Ａは現在規定されている信号構造体（規定されたパラメータ，その値の範囲及び解釈，及びチャネル符号化を含む），Ｂは例えばＶｏＩＰ用に（上記のとおり）新規に規定された信号構造体，Ｃは例えば多搬送波送信用の新規に規定した信号構造体である。そしてＵＥが通常の（現在の仕様による）ＨＳ−ＳＣＣＨ送信と，ＶｏＩＰ送信と，多搬送波送信と，を受信することになっているときは，３つの異なるＵＥ ＩＤが１つのＵＥに割り当てられる。あるＵＥが通常の送信だけを受信するときは，ただ１つのＵＥ ＩＤが割り当てられる。
【００３４】
本発明の別の実施例は，ＨＳ−ＳＣＣＨの仕様書に既に規定されているのと同一のフレーム構造（同一の値の範囲及び同一のチャネル符号化を有する同一のパラメータ）を用いるが，そのＵＥ ＩＤをある新規パラメータ値，例えば多搬送波システム用の搬送周波数，又はマルチストリームＭＩＭＯのストリームＩＤ，又は追加ＨＡＲＱプロセスＩＤを示すために用いることを含む。搬送周波数又はストリームＩＤの例は，新規パラメータであるが，一方追加ＨＡＲＱプロセスＩＤの例は既存パラメータの値範囲の拡張である。例えば４つの搬送波を有する多搬送波システムでは，各多搬送波ＵＥにＵＥ ＩＤが割り当てられる。そしてこのＵＥにデータを送信するためにどの搬送波又は帯域が利用されているかによって，対応するＵＥ ＩＤが用いられる。これは例えば明示的に行ってもよいし又は暗黙に行ってもよい。
【００３５】
このように本発明の実施例は，現在規定されているＨＳ−ＳＣＣＨ用と同一のパラメータと，同一の値範囲と，同一のチャネル符号化と，を有する同一のフレーム構造を用いる。しかしある新規パラメータ値を示すためには，別のＵＥ ＩＤを用いる。
【００３６】
Ａ）明示的方法（図３Ａ参照）
図３Ａは高速搬送波指定のための実現例Ａを示す。ここでＤＬ搬送波帯域（Ａ（コア），Ｂ，Ｃ，又はＤ）は，ＨＳ−ＳＣＣＨが搬送する組み込み情報として明示的に示される。組み込み情報は，搬送周波数又は帯域を示すＵＥ ＩＤを示す。
【００３７】
図３Ａにおいて，ＵＥ ＩＤ１は帯域Ｄを明示的に示し，ＵＥ ＩＤ２は帯域Ｃを明示的に示し，等々のために用いられる。この方法によれば，ある新規パラメータを送信するため，又はあるパラメータの値範囲を拡張するためにＨＳ−ＳＣＣＨフレーム構造を変更する必要はない。同時に，１つのＵＥに２以上のＵＥ ＩＤを割り当てることができ，それによって異なる送信時間間隔（ＴＴＩ）に用いる異なるパラメータに動的に変更することができる。
【００３８】
このようにＤＬ ＨＳ−ＳＣＣＨは，周波数帯域（例えばＡ（コア），Ｂ，Ｃ，又はＤ）を明示的に示す情報をその中に組み込んで搬送する。ここでＵＥはＨＳ−ＰＤＳＣＨを受信する。ＵＥが組み込まれた情報を復号した後，コア搬送波とは異なるＤＬ搬送波上の信号の受信を開始することができる。この場合ＵＥ ＩＤは，ＨＳ−ＳＣＣＨが「多搬送波」構造を用いることを示すことができる。これは例えば，第１部分が変調情報及びチャネル化符号情報の代わりに搬送周波数情報を搬送することを意味する。これによってＵＥは，指示された周波数帯域（搬送波）のデータをバッファし始めることができるようになる。「多搬送波」構造は更に，第２部分が新規搬送波上のデータと共に送信されることを意味する。最大４つの搬送周波数があるときは，搬送周波数を示すために２ビットが必要である。したがって変調方式及びチャネル化符号集合用には６ビットだけが残される。残りのデータ搬送波（ＤＯ−ＤＳＣＨ＝データ専用ダウンリンク共有チャネル）が高ビット速度のためだけに割り当てられる（例えばただ１つの符号が使用され指示する必要がない）ときは，これで十分である。残りの可能性は，情報の一部をほかのパラメータと共に第２部分によって送信することである。また図３に示すように，すべてのＨＳ−ＳＣＣＨ情報をコア帯域で送信することもできる。そのときＵＥは，複数の帯域を同時に受信できる必要がある。コア帯域のＨＳ−ＳＣＣＨと，別の帯域のＤＯ−ＤＳＣＨと，データ送信に用いる帯域と，はＨＳ−ＳＣＣＨで用いるＵＥ ＩＤによって判定される。
【００３９】
別の明示的信号通知方法を図３Ｂに示す。ここでは明示的なＤＬ搬送波パラメータがＨＳ−ＳＣＣＨの好ましくは第１部分に追加され，それはＤＯ−ＤＳＣＨより前に送信される。これによってＨＳ−ＳＣＣＨフレーム構造又はパラメータフィールドを変更する必要が生じる。変更したＨＳ−ＳＣＣＨフレーム構造は，例えばＲＲＣ信号通知によってＵＥに通知することができる。このようにこの場合はただ１つのＵＥ ＩＤがあればよい。ＵＥは通常ＨＳ−ＳＣＣＨチャネルを検出して復号し，ＵＥ ＩＤマスクに一致するＨＳ−ＳＣＣＨを見付けると，ＨＳ−ＳＣＣＨからパラメータを読み出す。ここでＨＳ−ＳＣＣＨで送信されるＤＬ搬送波用の新規パラメータは，データ送信又はデータ受信に用いる帯域を通知する。
【００４０】
Ｂ）暗黙の方法（図４参照）
図４に高速搬送波指定の実現例Ｂを示す。ここでＤＬ搬送波は，ＵＥに指定されたＨＳ−ＳＣＣＨ上で使用されるチャネル化符号と暗黙に対応付けられる。
【００４１】
ＤＬ ＨＳ−ＳＣＣＨチャネル化符号は，ＤＬ搬送波番号に暗黙に対応付けられる（この対応付けは，例えばＲＲＣ信号通知を介してＢＳとＵＥとで事前に合意されたものである）。ＵＥが特定のチャネル化符号を有するＨＳ−ＳＣＣＨ上に自己の情報を検出すると，事前に合意した対応付けによるチャネル化符号とＤＬ搬送波番号との間の暗黙の関係によって示されるとおりＨＳ−ＰＤＳＣＨを受信するＤＬ搬送波に切り替える。例えばＵＥが図４のＨＳ−ＳＣＣＨを復号し，それに割り当てられたＵＥ ＩＤがチャネル化符号Ｃで用いられるＵＥ ＩＤマスクと一致することを見付けると，ＵＥは帯域Ｃにデータ送信があることを知る。類似してデータが帯域Ｄで送信されているときは，チャネル化符号Ｄを用いたＨＳ−ＳＣＣＨ上で関連制御情報が送信される。
【００４２】
上述のように本発明によれば，可能性のある新規Ｌ１パラメータごとに１つずつ，１つのＵＥに複数のＵＥ ＩＤを割り当てることが提案される。いくつか例を次に示す。
【００４３】
ＤＬ搬送波を示すＵＥ ＩＤ
この例は図３及び４に関連して既に述べたが，特に本発明は複数のサービスを同時に搬送することに関するので，ここで更に詳しく述べる。本発明のこの実施例によれば，例えばＵＥに割り当てられた可能性のある搬送周波数ごとに１つずつ，１つのＵＥに複数のＵＥ ＩＤを割り当てることが提案される。前にも述べたように，ＵＥ ＩＤと搬送周波数との間の対応付けは，例えばコネクション設定段階においてＲＲＣ信号通知を介してＵＥとネットワークとの間で合意される。ＵＥ ＩＤは，ＨＳ−ＳＣＣＨ ＴＴＩの第１部分のＵＥ特定マスク及びＵＥ特定ＣＲＣ双方に現在用いられているのと同じ方法でＨＳ−ＳＣＣＨに引き続き用いられる。
【００４４】
ノードＢスケジューラが，特定の搬送周波数のあるＨＳ−ＰＤＳＣＨ符号チャネルをＵＥに割り当てたとき，ノードＢはこの搬送波に対応するＵＥ ＩＤ，すなわち上述の対応付けによってこの搬送波と関連付けられたＵＥ ＩＤ，を用いてＨＳ−ＳＣＣＨ上で対応するパラメータを送信する。
【００４５】
ＵＥは通常通りＨＳ−ＳＣＣＨチャネルを受信し，自己のＵＥ ＩＤを探す。ここで本発明によれば，ＵＥはいくつかのＵＥ ＩＤを検査する必要があり，自己に割り当てられた１つの（又はいくつかの）ＵＥ ＩＤを見付けたとき，ＵＥはＨＳ−ＳＣＣＨ上で与えられたパラメータ値を用いて，受信したＵＥ ＩＤによって示される搬送波の受信を開始できることを知る。このようにＵＥ ＩＤを探す新規な方法は，先行技術のように唯一のＵＥ ＩＤを探す代わりに，いくつかのＵＥ ＩＤを探す必要がある。ＨＳ−ＳＣＣＨ ＴＴＩの第１部分のＵＥ特定マスクを用いて，ＵＥは変調方式，チャネル化符号，及びＤＬ搬送波も知る。
【００４６】
上記で指摘したとおり，同一の機構を同時にいくつかの搬送波を示すために用いることができる。ＵＥが同時に複数の搬送波上のデータを受信できるときは，この同一の機構を用いて，それら搬送波を示すことができる。ノードＢはいくつかのＨＳ−ＳＣＣＨを同時に用い，各ＨＳ−ＳＣＣＨ上の対応する異なるＵＥ ＩＤ（すなわち１つのＨＳ−ＳＣＣＨ及び搬送波当たり１つのＵＥ ＩＤ）を用いて，この１つのＵＥに通知する。別のＨＳ−ＰＤＳＣＨ搬送波上で送信されるデータは，１つの転送ブロックに属してもよいし，いくつかの転送ブロックに属してもよい。それらが１つの転送ブロックに属するときは，転送ブロックサイズは対応するＨＳ−ＳＣＣＨ上で通知された転送ブロックサイズの合計である。データがいくつかの転送ブロックによって送信されるときは，搬送波当たり１つの転送ブロックがあり，かつ各ＨＳ−ＳＣＣＨ搬送波は１つの搬送波についての情報だけを搬送する。
【００４７】
ＨＡＲＱ（ハイブリッド自動再送要求）プロセスＩＤを示すＵＥ ＩＤ
１ＴＴＩ期間に２以上の転送ブロックが１つのＵＥに送信されるとき（別個の搬送波又は別個のデータストリームのいずれかで（例えばＭＩＭＯ）），別個のＨＡＲＱプロセスをそれぞれに割り当てる必要がある。これは，例えば各プロセスについて，伝送チャネル又は伝送経路の品質によって，データブロックが受信器において順不同で利用可能になり，そのような手段で再配置しなければならないためである。ノードＢはいくつかのＨＳ−ＳＣＣＨを同時に用い，各ＨＳ−ＳＣＣＨ上の対応する異なるＵＥ ＩＤを用いて，この１つのＵＥに通知することができる。ここで各ＨＳ−ＳＣＣＨ上のＵＥ ＩＤは，関連する転送ブロックの正しいＨＡＲＱプロセスを唯一に特定する。実行的にこれはＵＥ ＩＤがデータストリームを特定することを意味する。ＵＥ ＩＤは，ＨＡＲＱプロセスの集合及びＨＡＲＱプロセスＩＤ，すなわち集合内の実際のＩＤを通知する。これは実質的にＨＡＲＱプロセス１Ａ及び１Ｂと，２Ａ及び２Ｂと，等，すなわち２つのＨＡＲＱプロセス集合Ａ及びＢ，並びに各集合内の８つのプロセスとなる。あるいは８つのＨＡＲＱプロセス（先行技術において３ビットのＨＡＲＱプロセスＩＤによって可能）は十分ではないかもしれない。１つのＵＥに２つのＵＥ ＩＤを割り当てることによって，ＨＡＲＱプロセスの数は倍になる。
【００４８】
制御情報とデータとを分離するＵＥ ＩＤ
既に物理層において，すなわち最も早い段階でデータと制御情報（例えばＳＲＢ（信号通知無線ベアラ））とを識別できるとよい。これによって最下層において直ちにデータと制御情報とを別々に経路制御することができるようになる。例えば高データ速度のデータはＭＡＣ層プロセッサにおいて各ＰＤＵを処理することなく，直接ある出力ポートへ届けることができる。又はＳＲＢは，ほかのデータと識別できたとき，各処理段階においてより容易に高い優先度を与えられる。
【００４９】
最初の送信及び再送信を示すＵＥ ＩＤ
別の例では，送信が転送ブロックの最初の送信か再送信かをＵＥ ＩＤによって示すことができる。これは現在ＮＤＩ（新規データ指示子）によって部分的に行われているが，ＵＥが最初の送信を受け損なったときは，送信が最初の送信か再送信かが分からない（ＮＤＩは，送信を前の送信と結合するかどうかを通知する）。これはいくつかのアプリケーションには有用であろう。
【００５０】
図５に，図１Ｂのネットワーク要素１０ａ内の信号プロセッサ１４ａによって実行することができる一連のステップのフローチャートを示す。これは図１Ａ及び１Ｂ双方に関連して既に説明した処理と類似している。ステップ５００を開始した後，ステップ５０２が実行され，１又は多数のサービス要求がＵＥ１０ｂから受信される。ステップ５０４において受信器モジュール１２ａが要求を処理し，処理した要求信号を線２０ａ上で特定モジュール２２ａに供給する。特定モジュールはユーザ装置に，要求サービスの１つの識別子を割り当てるステップ又は指定するステップを実行する。ステップ５０８においてネットワーク要素１０ａが，ＵＥ１０ｂによって更なるサービスが要求されているかどうかを判定する。そうであるときは，特定モジュールが別の要求サービス又は同一のサービス用の識別子を追加指定する。ステップ５０８において更なるサービスが判定され，ステップ５０６において，要求されたと判定されるサービスがなくなるまで追加のＵＥ ＩＤが指定される。すべてのサービスに識別子が指定されるとステップ５１０が実行されて，得られたユーザ装置識別子及びサービスを関連モジュール２６ａに通知する。もちろんこの処理は，説明したとおりすべてを同時に行わずに１つずつ行ってもよい。各要求サービスに指定されたユーザ装置識別子を関連モジュール２６ａが受信すると，各識別子と，要求サービスに適した信号構造体，パラメータ，又はその双方とを関連付ける。関連モジュール２６ａに複数のユーザ装置識別子が供給されたとき，ステップ５１４において関連モジュールはそのような判定を行うことができ，各ユーザ装置識別子と適切な信号構造体，パラメータ，又はその双方との関連付けを続行する。信号構造体，パラメータ，又はその双方と関連させる必要のあるユーザ装置識別子がもうないことを判定すると，ステップ５１６において調停処理が開始され，実際のサービスが別のペイロードチャネル上で配信される前に，ユーザ装置は信号構造体，パラメータ，又はその双方と，それらに関連するユーザ装置識別子とに合意できるようになる。この処理は，ＵＥとネットワーク側との対向する各ＲＲＣ層エンティティ間で行われる。ステップ５１８において調停が決定どおりに完了すると，例えばステップ５２０に示すように特定のサービスに指定されたユーザ装置識別子と関連する信号構造体で搬送されるパラメータを用いてサービスを提供することができる。ステップ５２２において復帰する。
【００５１】
図６に，図１Ｂのユーザ装置１０ｂにおいて実行することができる一連のステップを示す。しかし図６の場合も同様に，これは単に例示であって，本発明は図示した特定のステップ又はその特定の順序に限定されるものではなく，更に種々のモジュール又はエンティティによって分散型で実行することもできる。ステップ６００において開始した後，ユーザ装置１０ｂにおいてステップ６０２に示す各サービスをユーザ装置が必要とすることが判断される。これは図１Ｂに図示されていないアプリケーション層において実行されるかもしれない。しかしそのようなアプリケーション層プロセスは，特定モジュール２２ｂにサービスが必要であることを通知することができ，そして特定モジュール２２ｂはステップ６０４に示すように必要な各サービス（又は１つのサービス）にユーザ装置識別子を指定する。そして特定モジュール２２ｂは，線２４ｂ上の信号によって関連モジュール２２ｂに指定したユーザ装置識別子を指示する。次に関連モジュール２６ｂはステップ６０６を実行して，指定した各ユーザ装置識別子を特定の必要とされるサービスに適した信号構造体，パラメータ，又はその双方に関連付ける。次に指定したユーザ装置識別子は，関連する信号構造体，パラメータ，又はその双方と共に線２８ｂ上で調停モジュール３０ｂへ搬送される。そして調停モジュールはステップ６０８に示すとおり，ユーザ装置からの必要とするサービスへの要求を無線インタフェースを介してネットワークへ送信する。図１Ｂに関連して前に説明したとおり，この要求は調停のために信号線３２ｂ上を送信モジュール１６ｂ及びアンテナ１７を介し，無線インタフェースを介してネットワーク要素１０ａに送信される。ネットワーク要素にユーザ装置識別子の指定及び信号構造体，パラメータ，又はその双方の関連付けをさせることが所望されるときは，ステップ６０４，６０６は省略できることに言及するのが望ましいであろう。したがってどの場合も前に説明した調停処理は，図６のステップ６１０に示すとおり実行することができる。ステップ６１２において調停処理が完了したことが判定されると，ステップ６１４が実行されてネットワークが，指定されたユーザ装置識別子と関連する信号構造体，パラメータ，又はその双方によって通知されるパラメータを用いて配信される物理チャネル上で提供するサービスが受信される。ステップ６１６において復帰する。
【００５２】
図７に，図５又は６で示すステップを実行するために用いることができるはん用信号プロセッサ７００を示す。はん用信号プロセッサはそれ自身，プロセッサ１４ａ又は１４ｂ若しくは１４ａ及び１４ｂ双方の代わりをする。はん用信号プロセッサは，中央処理ユニット７０２と，ランダムアクセスメモリ７０４と，読み出し専用メモリ７０６と，入出力デバイス７０８と，クロック７１０と，ほかのコンポーネント７１２とを含む，すべてがデータ，アドレス及び制御バス７１４で相互接続されたコンポーネントからなる。図５のステップ又は図６のステップは，計算機プログラム言語を用いてコード化し，信号プロセッサ７００の読み出し専用メモリ７０６に実行のために記憶することができることを理解されたい。そして中央処理ユニット７０２は，コード化された命令を実行し，ある計算結果をランダムアクセスメモリ７０４に記憶させ，バス７１４を介して入出力デバイス７０８とデータを交換する。そして入出力デバイスは図１Ａの受信器モジュール１２又は送信器モジュール１６と通信する。図７に示した信号プロセッサに加えて，図１Ａに示すモジュール２２，２６，３０，３８のうち１又は複数は，上述の発明を実行することができる集積回路又は集積回路の組合せに組み込むことができることを当業者であれば理解するであろう。
【００５３】
図１Ｂ及び図５を参照すると，図５に示す既に説明したステップ５０２，５０４，５０６，５０８及び５１０は，図７の信号プロセッサ７００に記憶した計算機プログラム言語を用いてコード化すると，図１Ｂの特定モジュール２２ａの指定機能を実行する手段と見なすことができる。類似して図５のステップ５１２及び５１４もまた，計算機プログラム言語でコード化し，図７の信号プロセッサのＲＯＭ７０６に記憶させ，信号プロセッサ７００によって実行して，図１Ｂの関連モジュール２６ａの機能を実行させることができる。図５のステップ５１２及び５１４はそれ自身多数のユーザ装置識別子それぞれに，多数の異なる信号構造体，パラメータ，又はその双方から１つを関連付ける手段を構成する。同じように実行できる別のステップ，すなわち関連モジュール２６ａから調停モジュール３０ａへ線２８ａ上で信号通知するステップは図５に示していない。このような機能はまた，信号プロセッサ７００のＲＯＭ７０６に記憶したコード化した命令によって実行することもでき，関連モジュール又は手段の機能の一部であってもよい。類似して図１Ｂの調停モジュール３０ａは，図１Ｂのネットワーク要素１０ａのようなネットワーク要素において，図５のステップ５１６，５１８を実行するように設計者が選択した信号処理言語によってコード化された命令を用いて，図７の信号プロセッサ７００によって実行することができる。図５のステップ５２０は，ＲＯＭ７０６に記憶させた，選択されたプログラム言語で書かれコードによって図７の信号プロセッサ７００によって実行されたとき，もちろん図１Ｂに示すサービスモジュール３８ａの機能に対応する。
【００５４】
図１Ｂの右側，特に信号プロセッサブロック１４ｂ内に示された信号プロセッサモジュールを参照すると，モジュール２２ｂ，２６ｂ，３０ｂ及び３８ｂの機能も，図１Ｂの左側に関してすぐ上で説明したものと類似の方法で，図７に示された信号プロセッサ７００のような信号プロセッサによって実行できると見なされる。このように図７の信号プロセッサ７００は，図１Ｂの特定モジュール２２ｂの機能に対応する，１つのユーザ装置に多数のユーザ装置識別子を指定する手段を含むと見なされ，例えばＵＥ１０ｂがステップ６０２においてサービスが必要とされることを決定したとき，図１Ｂ及び６に示した環境において図６のステップ６０４を実行する。類似して信号プロセッサ７００は，図６のステップ６０６に示したように，多数の異なる信号構造体の１つを多数のユーザ装置識別子それぞれに関連付ける手段を含むと見なされる。図１Ｂのサービスモジュール３８ｂの機能も，図６に示すステップ６１４を実行する，信号プロセッサ７００に記憶された計算機プログラムによって，信号プロセッサ７００が実行することができる。図１Ｂの調停モジュール３０ｂに関しては，図６のステップ６０８，６１０，６１２によって示される機能は，計算機プログラム言語でコード化され，信号プロセッサが実行するために，図７の信号プロセッサ７００のＲＯＭ７０６に記憶される。信号プロセッサ７００それ自身は，図６及び／又は図１Ｂに示すステップによってユーザ装置と識別子を調停する手段を含むものと見なすことができる。
【００５５】
本発明をその最良の実施例に関して示し，説明したが，本発明の目的実行できる，本願特許請求の範囲の範囲内に依然として入る種々の別のデバイス及び方法を提供できることは，当業者には明らかである。好適な実施例に適用された本発明の基本的で新規な特徴を示し，記述し，指摘したが，説明したデバイス及び方法の形態及び詳細について種々の省略と，置き換えと，変更とを，当業者であれば本発明の精神から逸脱することなく行うことができることを理解されたい。例えば同一の結果を得るために，実質的に同一の方法で実質的に同一の機能を実行する要素及び／又は方法ステップのすべての組合せは，本発明の範囲内であることを明白に意図している。更に本発明の任意の開示形態又は実施例に関して示し及び／又は説明した構造物及び／又は要素及び／又は方法ステップは，任意のほかの開示され，又は説明され，又は示唆される形態又は実施例に，一般的な設計事項として組み込むことができることを理解されたい。したがって，本願の請求項の範囲によって示されるとおりに限定することが意図される。更に請求項における方法及び機能の条項は，列挙した機能を実行するここに記載された構造物及び構造的均等物だけでなく均等な構造物も含むことを意図している。したがって木製部品を固定する場合に，くぎは木製部品をしっかり固定するために円筒状表面を使用するが，ねじはらせん状表面を使用する点でくぎとねじは構造的均等物ではないかもしれないが，くぎとねじは均等な構造物であってよい。
【図面の簡単な説明】
【００５６】
【図１Ａ】モジュールの組合せからなるサーバを有する本発明を実行するデバイスを示す図である。
【図１Ｂ】基地局及びユーザ装置を備えるシステムとして一緒に動作する図１Ａのデバイスにそれぞれ類似した２つのデバイスを示す図である。
【図２】ＨＳ−ＳＣＣＨの第１部分にあるＵＥ ＩＤをＨＳ−ＳＣＣＨ信号構造体を示すために用いる方法の概念を示す図である。
【図３Ａ】高速搬送波指定のための実現例Ａであって，ＤＬ搬送波帯域（Ａ（コア），Ｂ，Ｃ，又はＤ）がＨＳ−ＳＣＣＨが搬送する組み込み情報として明示的に示され，ＵＥ ＩＤが搬送周波数又は帯域を示す実現例を示す図である。
【図３Ｂ】ＨＳ−ＳＣＣＨに追加された明示的ＤＬ搬送波番号パラメータを用いる，もう１つの明示的信号通知方法を示す図である。
【図４】高速搬送波指定のための実現例Ｂであって，ＤＬ搬送波がＵＥに指定されたＨＳ−ＳＣＣＨに用いられるチャネル化符号から暗黙に対応付けられる実現例を示す図である。
【図５】本発明によるネットワーク要素において実行することができる一連のステップを示すフローチャートである。
【図６】本発明によるユーザ装置において実行することができる一連のステップを示すフローチャートである。
【図７】本発明を実行する信号プロセッサを示す図である。
【図１Ａ】
2008546268.tif 000003
【図１Ｂ】
2008546268.tif 000004
【図２】
2008546268.tif 000005
【図３Ａ】
2008546268.tif 000006
【図３Ｂ】
2008546268.tif 000007
【図４】
2008546268.tif 000008
【図５】
2008546268.tif 000009
【図６】
2008546268.tif 000010
【図７】
2008546268.tif 000011
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
１つのユーザ装置に多数のユーザ装置識別子を割り当てるステップと，
前記多数のユーザ装置識別子それぞれに，多数の異なる信号パラメータの１つを関連させるステップと，
を有する方法。
【請求項２】
ネットワーク要素において実行する方法であって，前記ユーザ装置識別子を前記１つのユーザ装置と調停するステップを更に有する請求項１に記載の方法。
【請求項３】
前記１つのユーザ装置において実行する方法であって，前記ユーザ装置識別子をネットワーク要素と調停するステップを更に有する請求項１に記載の方法。
【請求項４】
システムにおいて実行する方法であって，前記１つのユーザ装置とネットワーク要素との間で前記ユーザ装置識別子を調停するステップを更に有する請求項１に記載の方法。
【請求項５】
ネットワーク要素において実行する方法であって，前記ユーザ装置識別子の対応する１つと関連する信号パラメータによって見付けることができる転送チャネル上で，前記ネットワーク要素から前記１つのユーザ装置へサービスを提供するステップを更に有する請求項１に記載の方法。
【請求項６】
前記ネットワーク要素において実行する方法であって，前記ユーザ装置識別子の対応する１つと関連する信号パラメータによって見付けることができる転送チャネル上で，前記ネットワーク要素から前記１つのユーザ装置へサービスを提供するステップを更に有する請求項２に記載の方法。
【請求項７】
ネットワーク要素において実行する方法であって，多数のサービスを，対応する多数の転送チャネルであって，それぞれ前記ユーザ装置識別子の対応する１つと関連する信号パラメータによって見付けることができる転送チャネル上で，前記ネットワーク要素から前記１つのユーザ装置へ提供するステップを更に有する請求項１に記載の方法。
【請求項８】
前記ネットワーク要素において実行する方法であって，多数のサービスを，対応する多数の転送チャネルであって，それぞれ前記ユーザ装置識別子の対応する１つと関連する信号パラメータによって見付けることができる転送チャネル上で，前記ネットワーク要素から前記１つのユーザ装置へ提供するステップを更に有する請求項２に記載の方法。
【請求項９】
前記１つのユーザ装置において実行する方法であって，ネットワーク要素によって提供され，前記ユーザ装置識別子の対応する１つと関連する信号パラメータによって見付けることができる転送チャネル上で，前記ネットワーク要素からサービスを受信するステップを更に有する請求項１に記載の方法。
【請求項１０】
前記１つのユーザ装置において実行する方法であって，前記ネットワーク要素によって提供され，前記ユーザ装置識別子の対応する１つと関連する信号パラメータによって見付けることができる転送チャネル上で，前記ネットワーク要素からサービスを受信するステップを更に有する請求項３に記載の方法。
【請求項１１】
前記１つのユーザ装置において実行する方法であって，多数のサービスを，対応する多数の転送チャネルであって，それぞれ前記ユーザ装置識別子の対応する１つと関連する信号パラメータによって見付けることができる転送チャネル上で，前記ネットワーク要素から受信するステップを更に有する請求項１に記載の方法。
【請求項１２】
前記１つのユーザ装置において実行する方法であって，多数のサービスを，対応する多数の転送チャネルであって，それぞれ前記ユーザ装置識別子の対応する１つと関連する信号パラメータによって見付けることができる転送チャネル上で，前記ネットワーク要素から受信するステップを更に有する請求項３に記載の方法。
【請求項１３】
前記ユーザ装置識別子の対応する１つと関連する信号パラメータによって見付けることができる転送チャネル上で，前記ネットワーク要素から前記１つのユーザ装置へサービスを提供するステップを更に有する請求項４に記載の方法。
【請求項１４】
多数のサービスを，対応する多数の転送チャネルであって，それぞれ前記ユーザ装置識別子の対応する１つと関連する信号パラメータによって見付けることができる転送チャネル上で，前記ネットワーク要素から前記１つのユーザ装置へ提供するステップを更に有する請求項４に記載の方法。
【請求項１５】
前記ネットワーク要素が提供する，前記ユーザ装置識別子の対応する１つと関連する信号パラメータによって見付けることができる転送チャネル上で，ネットワーク要素からサービスを受信するステップを更に有する請求項１３に記載の方法。
【請求項１６】
多数のサービスを，対応する多数の転送チャネルであって，それぞれ前記ユーザ装置識別子の対応する１つと関連する信号パラメータによって見付けることができる転送チャネル上で，前記ネットワーク要素から受信するステップを更に有する請求項１４に記載の方法。
【請求項１７】
前記ネットワーク要素が提供する，前記ユーザ装置識別子の対応する１つと関連する信号パラメータによって見付けることができる転送チャネル上で，ネットワーク要素からサービスを受信するステップを更に有する請求項４に記載の方法。
【請求項１８】
多数のサービスを，対応する多数の転送チャネルであって，それぞれ前記ユーザ装置識別子の対応する１つと関連する信号パラメータによって見付けることができる転送チャネル上で，前記ネットワーク要素から受信するステップを更に有する請求項４に記載の方法。
【請求項１９】
前記ネットワーク要素が提供する，前記ユーザ装置識別子の対応する１つと関連する，前記ネットワーク要素からの信号チャネルの信号パラメータによって見付けることができる転送チャネル上で，ネットワーク要素からサービスを受信するステップを更に有する請求項５に記載の方法。
【請求項２０】
多数のサービスを，対応する多数の転送チャネルであって，前記ユーザ装置識別子の対応する１つと関連する，前記ネットワーク要素からの信号チャネルの信号パラメータによって見付けることができる転送チャネル上で，前記ネットワーク要素から受信するステップを更に有する請求項７に記載の方法。
【請求項２１】
多搬送波システムにおいて実行する方法であって，前記関連させるステップは，前記１つのユーザ装置の識別子を前記多搬送波システムの無線ダウンリンク搬送波と関連させるステップを含む請求項１に記載の方法。
【請求項２２】
前記関連させるステップは，１つのユーザ装置がペイロードチャネルを受信する前記搬送波の明示的指示とする請求項２１に記載の方法。
【請求項２３】
前記関連させるステップは暗黙の指示であって，チャネル化符号を，前記１つのユーザ装置がペイロードチャネルを受信する搬送波を示すための信号を符号化するために用いる請求項２１に記載の方法。
【請求項２４】
前記多数のユーザ装置識別子の１つは，１又は複数の物理層関連パラメータを示す信号パラメータと関連させるためのものとする請求項１に記載の方法。
【請求項２５】
前記１又は複数の物理層関連パラメータは，１又は複数のハイブリッド自動再送信要求プロセス識別子とする請求項２４に記載の方法。
【請求項２６】
前記１又は複数の物理層関連パラメータは，ダウンリンク共有チャネルが制御情報を搬送しているか，データを搬送しているかを示す請求項２４に記載の方法。
【請求項２７】
前記１又は複数の物理層関連パラメータは，ダウンリンク共有チャネルの送信が最初の送信か，再送信かを示す請求項２４に記載の方法。
【請求項２８】
前記割り当てるステップは，いくつかの対応する物理層パラメータを示すために前記多数のユーザ装置識別子を前記１つのユーザ装置に割り当てるステップを含む請求項１に記載の方法。
【請求項２９】
前記多数の識別子は，それぞれ対応する搬送波を示すために用いる請求項１に記載の方法。
【請求項３０】
前記多数の識別子の１つは，ハイブリッド自動再送要求プロセスを示すために用いる請求項１に記載の方法。
【請求項３１】
前記多数の識別子の１つは，制御情報又はデータを示すために用いる請求項１に記載の方法。
【請求項３２】
前記多数の識別子の１つは，送信が最初の送信か，再送信かを示すために用いる請求項１に記載の方法。
【請求項３３】
前記の多数のユーザ装置識別子それぞれに信号パラメータを関連させるステップは，暗黙とする請求項１に記載の方法。
【請求項３４】
前記の多数のユーザ装置識別子それぞれに信号パラメータを関連させるステップは，明示的とする請求項１に記載の方法。
【請求項３５】
要求信号に反応して１つのユーザ装置に多数のユーザ装置識別子を示す信号を供給する割当てモジュールと，
前記多数のユーザ装置識別子を示す前記信号に反応して，多数の異なるパラメータから前記多数のユーザ装置識別子のそれぞれに信号パラメータを割り当て，前記多数のユーザ装置識別子及びその関連信号パラメータを示す信号を供給する関連モジュールと，
を備えるデバイス。
【請求項３６】
ネットワーク要素において利用するデバイスであって，前記多数のユーザ装置識別子及びその関連信号パラメータを示す前記信号に反応して，前記識別子及びその関連信号パラメータを前記１つのユーザ装置と調停する調停モジュールを更に備える請求項３５に記載のデバイス。
【請求項３７】
前記１つのユーザ装置において利用するデバイスであって，前記多数のユーザ装置識別子及びその関連信号パラメータを示す前記信号に反応して，前記識別子及びその関連信号パラメータをネットワーク要素と調停し，調停した識別子及び関連信号パラメータを示す調停信号を供給する調停モジュールを更に備える請求項３５に記載のデバイス。
【請求項３８】
前記ネットワーク要素において利用するデバイスであって，前記調停信号に反応して，前記調停識別子及び関連信号パラメータによって見付けることができる転送チャネル上で，前記ネットワーク要素から前記１つのユーザ装置へサービスを提供するサービスモジュールを更に備える請求項３６に記載のデバイス。
【請求項３９】
前記ネットワーク要素において利用するデバイスであって，前記調停信号に反応して多数のサービスを，対応する多数の転送チャネルであって，それぞれ前記ユーザ装置識別子の対応する１つと関連する調停パラメータによって見付けることができる転送チャネル上で，前記ネットワーク要素から前記１つのユーザ装置へ提供するサービスモジュールを更に備える請求項３６に記載のデバイス。
【請求項４０】
前記１つのユーザ装置において利用するデバイスであって，前記調停信号に反応して，前記ユーザ装置識別子の対応する１つと関連する信号パラメータによって前記ネットワーク要素が見付けることができる転送チャネル上で，ネットワーク要素からサービスを受信するサービスモジュールを更に備える請求項３７に記載のデバイス。
【請求項４１】
前記多数のユーザ装置識別子の１つは，物理層関連パラメータを示す信号パラメータと関連させるためのものとする請求項３５に記載のデバイス。
【請求項４２】
前記物理層関連パラメータは，ハイブリッド自動再送信要求プロセス識別子とする請求項４１に記載のデバイス。
【請求項４３】
前記物理層関連パラメータは，ダウンリンク共有チャネルが制御情報を搬送しているか，データを搬送しているかを示す請求項４１に記載のデバイス。
【請求項４４】
前記物理層関連パラメータは，ダウンリンク共有チャネルの送信が最初の送信か，再送信かを示す請求項４１に記載のデバイス。
【請求項４５】
前記パラメータは，物理層パラメータとする請求項３５に記載のデバイス。
【請求項４６】
前記多数の識別子の１つは，搬送波を示すために用いる請求項３５に記載のデバイス。
【請求項４７】
前記多数の識別子の１つは，ハイブリッド自動再送要求プロセスを示すために用いる請求項３５に記載のデバイス。
【請求項４８】
前記多数の識別子の１つは，制御情報又はデータを示すために用いる請求項３５に記載のデバイス。
【請求項４９】
前記多数の識別子の１つは，送信が最初の送信か，再送信かを示すために用いる請求項３５に記載のデバイス。
【請求項５０】
前記信号は，前記の多数のユーザ装置識別子それぞれに暗黙の信号構造を有する請求項３５に記載のデバイス。
【請求項５１】
前記信号は，前記の多数のユーザ装置識別子それぞれに明示的信号構造を有する請求項３５に記載のデバイス。
【請求項５２】
１つのユーザ装置に多数のユーザ装置識別子を割り当てる手段と，
多数の異なる信号パラメータから前記多数のユーザ装置識別子のそれぞれに信号パラメータを関連させる手段と，
を備えるデバイス。
【請求項５３】
ネットワーク要素において利用するデバイスであって，前記識別子を前記１つのユーザ装置と調停する手段を更に備える請求項５２に記載のデバイス。
【請求項５４】
前記１つのユーザ装置において利用するデバイスであって，前記識別子をネットワーク要素と調停する手段を更に備える請求項５２に記載のデバイス。
【請求項５５】
システムにおいて利用するデバイスであって，前記１つのユーザ装置とネットワーク要素との間で前記識別子を調停する手段を更に備える請求項５２に記載のデバイス。
【請求項５６】
ネットワーク要素において利用するデバイスであって，前記ユーザ装置識別子の対応する１つと関連する信号パラメータによって見付けることができる転送チャネル上で，前記ネットワーク要素から前記１つのユーザ装置へサービスを提供する手段を更に備える請求項５２に記載のデバイス。
【請求項５７】
前記ネットワーク要素において利用するデバイスであって，前記ユーザ装置識別子の対応する１つと関連する信号パラメータによって見付けることができる転送チャネル上で，前記ネットワーク要素から前記１つのユーザ装置へサービスを提供する手段を更に備える請求項５３に記載のデバイス。
【請求項５８】
ネットワーク要素において利用するデバイスであって，多数のサービスを，対応する多数の転送チャネルであって，それぞれ前記ユーザ装置識別子の対応する１つと関連する信号パラメータによって見付けることができる転送チャネル上で，前記ネットワーク要素から前記１つのユーザ装置へ提供する手段を更に備える請求項５２に記載のデバイス。
【請求項５９】
前記ネットワーク要素において利用するデバイスであって，多数のサービスを，対応する多数の転送チャネルであって，それぞれ前記ユーザ装置識別子の対応する１つと関連する信号パラメータによって見付けることができる転送チャネル上で，前記ネットワーク要素から前記１つのユーザ装置へ提供する手段を更に備える請求項５３に記載のデバイス。
【請求項６０】
前記１つのユーザ装置において利用するデバイスであって，ネットワーク要素によって提供される，前記ユーザ装置識別子の対応する１つと関連する信号パラメータによって見付けることができる転送チャネル上で，前記ネットワーク要素からサービスを受信する手段を更に備える請求項５２に記載のデバイス。
【請求項６１】
前記１つのユーザ装置において利用するデバイスであって，前記ネットワーク要素によって提供される，前記ユーザ装置識別子の対応する１つと関連する信号パラメータによって見付けることができる転送チャネル上で，前記ネットワーク要素からサービスを受信する手段を更に有する請求項５４に記載のデバイス。
【請求項６２】
前記１つのユーザ装置において利用するデバイスであって，多数のサービスを，対応する多数の転送チャネルであって，それぞれ前記ユーザ装置識別子の対応する１つと関連する信号パラメータによって見付けることができる転送チャネル上で，前記ネットワーク要素から受信する手段を更に備える請求項５２に記載のデバイス。
【請求項６３】
前記１つのユーザ装置において利用するデバイスであって，多数のサービスを，対応する多数の転送チャネルであって，それぞれ前記ユーザ装置識別子の対応する１つと関連する信号パラメータによって見付けることができる転送チャネル上で，前記ネットワーク要素から受信する手段を更に備える請求項５４に記載のデバイス。
【請求項６４】
多搬送波符号分割多元接続システムにおいて利用するデバイスであって，前記関連させるステップは，前記１つのユーザ装置の識別子を前記多搬送波符号分割多元接続システムの無線ダウンリンク搬送波と関連させるステップを含む請求項５２に記載のデバイス。
【請求項６５】
前記多数のユーザ装置識別子の１つは，物理層関連パラメータを示す信号パラメータと関連させるためのものとする請求項５２に記載のデバイス。
【請求項６６】
前記多数のユーザ装置識別子の１つは，搬送波を示すために用いる請求項５２に記載のデバイス。
【請求項６７】
前記多数のユーザ装置識別子の１つは，ハイブリッド自動再送信要求プロセスを示すために用いる請求項５２に記載のデバイス。
【請求項６８】
前記多数のユーザ装置識別子の１つは，制御情報又はデータを示すために用いる請求項５２に記載のデバイス。
【請求項６９】
前記多数のユーザ装置識別子の１つは，送信が最初の送信か，再送信かを示すために用いる請求項５２に記載のデバイス。
【請求項７０】
前記の多数のユーザ装置識別子それぞれに信号パラメータを関連させるステップは，暗黙とする請求項５２に記載のデバイス。
【請求項７１】
前記の多数のユーザ装置識別子それぞれに信号パラメータを関連させるステップは，明示的とする請求項５２に記載のデバイス。
【請求項７２】
１つのユーザ装置に多数のユーザ装置識別子を割り当て，前記多数のユーザ装置識別子それぞれに，多数の異なる信号パラメータの１つを関連させる，計算機可読媒体上に記憶した計算機プログラム。
【請求項７３】
１つのユーザ装置に多数のユーザ装置識別子を割り当て，前記多数のユーザ装置識別子それぞれに，多数の異なる信号パラメータの１つを関連させるネットワーク要素と，
前記多数のユーザ装置識別子を割り当て，前記多数のユーザ装置識別子それぞれに，多数の異なる信号パラメータの１つを関連させる前記ユーザ装置と，
を備えるシステム。
【請求項７４】
ユーザ装置において，無線信号であって，該無線信号の後に到着するデータチャネル内のデータを見付けるために必要なパラメータに関する無線信号を，無線接続ネットワークから無線インタフェースを介して受信するステップであって，前記無線信号は前記ユーザ装置に指定された複数のユーザ装置識別子の１つによって識別できるステップと，
前記ユーザ装置において前記データチャネルを受信するための前記無線信号によって前記ユーザ装置のダウンリンク搬送波指定を実行するステップと，
を有する方法。
【請求項７５】
前記信号内のユーザ装置識別子が，前記ユーザ装置が前記データチャネルを受信するダウンリンク搬送波を明示的に示す明示的信号方式を用いる請求項７４に記載の方法。
【請求項７６】
前記ユーザ装置が前記データチャネルを受信するダウンリンク搬送波を示すために，前記無線信号にチャネル化符号を用いる暗黙的信号方式を用いる請求項７４に記載の方法。
【請求項７７】
前記無線信号における前記ユーザ装置識別子は，前記ダウンリンク搬送波の指定以外の物理層関連パラメータを示すために用いる請求項７４に記載の方法。
【請求項７８】
前記物理層関連パラメータは，ハイブリッド自動再送信要求プロセス識別子とする請求項７７に記載の方法。
【請求項７９】
前記物理層関連パラメータは，ダウンリンク共有チャネルが制御情報を搬送しているか，データを搬送しているかを示す請求項７７に記載の方法。
【請求項８０】
前記物理層関連パラメータは，前記データチャネルの送信信号が転送ブロックの最初の送信か，再送信かを示す請求項７７に記載の方法。
【請求項８１】
いくつかのパラメータを示すために，いくつかのユーザ装置識別子を１つのユーザ装置に割り当てる請求項７４に記載の方法。
【請求項８２】
前記ユーザ装置識別子は，前記搬送波を示すために用いる請求項７４に記載の方法。
【請求項８３】
前記ユーザ装置識別子は，ハイブリッド自動再送要求プロセスを示すために用いる請求項７４に記載の方法。
【請求項８４】
前記ユーザ装置識別子は，制御情報又はデータを示すために用いる請求項７４に記載の方法。
【請求項８５】
前記ユーザ装置識別子は，送信が最初の送信か，再送信かを示すために用いる請求項７４に記載の方法。
【請求項８６】
無線接続ネットワークからの無線インタフェースを介した無線信号に反応するユーザ装置受信器であって，前記無線信号は該無線信号の後に到着するデータチャネル内のデータを見付けるために必要なパラメータを示し，また前記ユーザ装置に指定された複数のユーザ装置識別子の１つによって識別できるユーザ装置受信器と，
前記ユーザ装置において前記データチャネルを受信するための前記無線信号によって，前記ユーザ装置のダウンリンク搬送波指定を実行する信号プロセッサと，
を備える装置。
【請求項８７】
前記無線信号内のユーザ装置識別子が，前記ユーザ装置が前記データチャネルを受信するダウンリンク搬送波を明示的に示す明示的信号方式を用いる請求項８６に記載の装置。
【請求項８８】
前記ユーザ装置が前記データチャネルを受信するダウンリンク搬送波を示すために，前記無線信号にチャネル化符号を用いる暗黙的信号方式を用いる請求項８６に記載の装置。
【請求項８９】
前記無線信号における前記ユーザ装置識別子は，前記ダウンリンク搬送波の指定以外の物理層関連パラメータを示すために用いる請求項８６に記載の装置。
【請求項９０】
前記物理層関連パラメータは，ハイブリッド自動再送信要求プロセス識別子とする請求項８９に記載の装置。
【請求項９１】
前記物理層関連パラメータは，前記データチャネルが制御情報を搬送しているか，データを搬送しているかを示す請求項８９に記載の装置。
【請求項９２】
前記物理層関連パラメータは，前記データチャネルの送信信号が転送ブロックの最初の送信か，再送信かを示す請求項８９に記載の装置。
【請求項９３】
いくつかのパラメータを示すために，いくつかのユーザ装置識別子を１つのユーザ装置に割り当てる請求項８６に記載の装置。
【請求項９４】
前記ユーザ装置識別子は，前記搬送波を示すために用いる請求項８６に記載の装置。
【請求項９５】
前記ユーザ装置識別子は，ハイブリッド自動再送要求プロセスを示すために用いる請求項８６に記載の装置。
【請求項９６】
前記ユーザ装置識別子は，制御情報又はデータを示すために用いる請求項８６に記載の装置。
【請求項９７】
前記ユーザ装置識別子は，送信が最初の送信か，再送信かを示すために用いる請求項８６に記載の装置。
【請求項９８】
無線接続ネットワークから無線インタフェースを介して無線信号をユーザ装置において受信する手段であって，前記無線信号は該無線信号の後に到着するデータチャネル内のデータを見付けるために必要なパラメータを示し，また前記ユーザ装置に指定された複数のユーザ装置識別子の１つによって識別できる手段と，
前記ユーザ装置において前記データチャネルを受信するための前記無線信号によって，前記ユーザ装置のダウンリンク搬送波指定を実行する手段と，
を備える装置。
【請求項９９】
前記無線信号内のユーザ装置識別子が，前記ユーザ装置が前記データチャネルを受信するダウンリンク搬送波を明示的に示す明示的信号方式を用いる請求項９８に記載の装置。
【請求項１００】
前記ユーザ装置が前記データチャネルを受信するダウンリンク搬送波を示すために，前記無線信号にチャネル化符号を用いる暗黙的信号方式を用いる請求項９８に記載の装置。
【請求項１０１】
前記無線信号における前記ユーザ装置識別子は，前記ダウンリンク搬送波の指定以外の物理層関連パラメータを示すために用いる請求項９８に記載の装置。
【請求項１０２】
前記物理層関連パラメータは，ハイブリッド自動再送信要求プロセス識別子とする請求項１０１に記載の装置。
【請求項１０３】
前記物理層関連パラメータは，前記データチャネルが制御情報を搬送しているか，データを搬送しているかを示す請求項１０１に記載の装置。
【請求項１０４】
前記物理層関連パラメータは，前記データチャネルの送信信号が転送ブロックの最初の送信か，再送信かを示す請求項１０１に記載の装置。
【請求項１０５】
いくつかのパラメータを示すために，いくつかのユーザ装置識別子を１つのユーザ装置に割り当てる請求項９８に記載の装置。
【請求項１０６】
前記ユーザ装置識別子は，前記搬送波を示すために用いる請求項９８に記載の装置。
【請求項１０７】
前記ユーザ装置識別子は，ハイブリッド自動再送要求プロセスを示すために用いる請求項９８に記載の装置。
【請求項１０８】
前記ユーザ装置識別子は，制御情報又はデータを示すために用いる請求項９８に記載の装置。
【請求項１０９】
前記ユーザ装置識別子は，送信が最初の送信か，再送信かを示すために用いる請求項９８に記載の装置。
【請求項１１０】
多搬送波システム内のユーザ装置において実行する方法であって，
ダウンリンク上の無線信号を受信するユーザ装置を有し，
前記ダウンリンク上で受信される前記無線信号における物理層信号に応答して，前記多搬送波システム内の前記ユーザ装置において，高速ダウンリンク搬送波指定を実行する方法。
【請求項１１１】
高速共有制御チャネル内のユーザ装置識別子が，前記ユーザ装置が高速ダウンリンク共有チャネルを受信するダウンリンク搬送波を示す明示的方法を用いる請求項１１０に記載の方法。
【請求項１１２】
ユーザ装置が高速ダウンリンク共有チャネルを受信するダウンリンク搬送波を示すために，高速共有制御チャネルにチャネル化符号を用いる暗黙的方法を用いる請求項１１０に記載の方法。
【請求項１１３】
高速共有制御チャネルにおける前記ユーザ装置識別子は，前記ダウンリンク搬送波以外の物理層関連パラメータを示すために用いる請求項１１０に記載の方法。
【請求項１１４】
前記物理層関連パラメータは，ハイブリッド自動再送信要求プロセス識別子とする請求項１１３に記載の方法。
【請求項１１５】
前記物理層関連パラメータは，高速ダウンリンク共有チャネルが制御情報を搬送しているか，データを搬送しているかを示す請求項１１３に記載の方法。
【請求項１１６】
前記物理層関連パラメータは，高速ダウンリンク共有チャネルの送信信号が転送ブロックの最初の送信か，再送信かを示す請求項１１３に記載の方法。
【請求項１１７】
いくつかのパラメータを示すために，いくつかのユーザ装置識別子を１つのユーザ装置に割り当てる請求項１１０に記載の方法。
【請求項１１８】
前記ユーザ装置識別子は，前記搬送波を示すために用いる請求項１１０に記載の方法。
【請求項１１９】
前記ユーザ装置識別子は，ハイブリッド自動再送要求プロセスを示すために用いる請求項１１０に記載の方法。
【請求項１２０】
前記ユーザ装置識別子は，制御情報又はデータを示すために用いる請求項１１０に記載の方法。
【請求項１２１】
前記ユーザ装置識別子は，送信が最初の送信か，再送信かを示すために用いる請求項１１０に記載の方法。
【請求項１２２】
多搬送波システムにおいて使用するユーザ装置であって，
ダウンリンク上の無線信号に反応する受信器と，
前記ダウンリンク上の前記無線信号における物理層信号によって，前記多搬送波システム内の前記ユーザ装置において，高速ダウンリンク搬送波指定を実行する信号プロセッサと，
を備えるユーザ装置。
【請求項１２３】
前記信号方式は明示的とし，ユーザ装置識別子が前記ユーザ装置がデータチャネルを受信するダウンリンク搬送波を示す請求項１２２に記載の装置。
【請求項１２４】
前記信号方式は暗示的とし，前記ユーザ装置が前記データチャネルを受信するダウンリンク搬送波を示す信号を符号化するためにチャネル化符号を用いる請求項１２２に記載の装置。
【請求項１２５】
無線信号における前記ユーザ装置識別子は，前記ダウンリンク搬送波の指定以外の物理層関連パラメータを示すために用いる請求項１２２に記載の装置。
【請求項１２６】
前記物理層関連パラメータは，ハイブリッド自動再送信要求プロセス識別子とする請求項１２５に記載の装置。
【請求項１２７】
前記物理層関連パラメータは，前記データチャネルが制御情報を搬送しているか，データを搬送しているかを示す請求項１２５に記載の装置。
【請求項１２８】
前記物理層関連パラメータは，前記データチャネルの送信信号が転送ブロックの最初の送信か，再送信かを示す請求項１２５に記載の装置。
【請求項１２９】
いくつかのパラメータを示すために，いくつかのユーザ装置識別子を１つのユーザ装置に割り当てる請求項１２２に記載の装置。
【請求項１３０】
前記ユーザ装置識別子は，前記搬送波を示すために用いる請求項１２２に記載の装置。
【請求項１３１】
前記ユーザ装置識別子は，ハイブリッド自動再送要求プロセスを示すために用いる請求項１２２に記載の装置。
【請求項１３２】
前記ユーザ装置識別子は，制御情報又はデータを示すために用いる請求項１２２に記載の装置。
【請求項１３３】
前記ユーザ装置識別子は，送信が最初の送信か，再送信かを示すために用いる請求項１２２に記載の装置。
【請求項１３４】
多搬送波システムにおいて使用するユーザ装置であって，
ユーザ装置においてダウンリンク上の無線信号を受信する手段と，
前記ダウンリンク上で受信される前記無線信号における物理層信号によって，前記多搬送波システム内の前記ユーザ装置において，高速ダウンリンク搬送波指定を実行する手段と，
を備えるユーザ装置。
【請求項１３５】
前記無線信号内のユーザ装置識別子が，前記ユーザ装置が前記データチャネルを受信するダウンリンク搬送波を示す明示的方法を用いる請求項１３４に記載の装置。
【請求項１３６】
前記ユーザ装置が前記データチャネルを受信するダウンリンク搬送波を示す信号のためにチャネル化符号を用いる暗黙的方法を用いる請求項１３４に記載の装置。
【請求項１３７】
前記無線信号における前記ユーザ装置識別子は，前記ダウンリンク搬送波の指定以外の物理層関連パラメータを示すために用いる請求項１３４に記載の装置。
【請求項１３８】
前記物理層関連パラメータは，ハイブリッド自動再送信要求プロセス識別子とする請求項１３７に記載の装置。
【請求項１３９】
前記物理層関連パラメータは，前記データチャネルが制御情報を搬送しているか，データを搬送しているかを示す請求項１３７に記載の装置。
【請求項１４０】
前記物理層関連パラメータは，前記データチャネルの送信信号が転送ブロックの最初の送信か，再送信かを示す請求項１３７に記載の装置。
【請求項１４１】
いくつかのパラメータを示すために，いくつかのユーザ装置識別子を１つのユーザ装置に割り当てる請求項１３４に記載の装置。
【請求項１４２】
前記ユーザ装置識別子は，前記搬送波を示すために用いる請求項１３４に記載の装置。
【請求項１４３】
前記ユーザ装置識別子は，ハイブリッド自動再送要求プロセスを示すために用いる請求項１３４に記載の装置。
【請求項１４４】
前記ユーザ装置識別子は，制御情報又はデータを示すために用いる請求項１３４に記載の装置。
【請求項１４５】
前記ユーザ装置識別子は，送信が最初の送信か，再送信かを示すために用いる請求項１３４に記載の装置。
【請求項１４６】
前記多数のユーザ装置識別子のうち１つの識別子を，制御情報又はデータを示すために用いる請求項１に記載の方法。
【手続補正２】
【補正対象書類名】明細書
【補正対象項目名】全文
【補正方法】変更
【補正の内容】
【発明の詳細な説明】
【技術分野】
【０００１】
本発明の分野は移動体通信であり，より特定すれば，例えば第３世代パートナシッププロジェクト（３ＧＰＰ）のはん用移動体通信システム（ＵＭＴＳ）地上無線接続（ＵＴＲＡ）及びそれ以降で用いられる信号（ｓｉｇｎａｌｌｉｎｇ）方式である。
【背景技術】
【０００２】
例えばＷＣＤＭＡ（広帯域符号分割多元接続）システムなどの更に進化した移動体通信においては，すべてのサービスはＨＳＤＰＡ（高速ダウンリンクパケット接続）又はＨＳＵＰＡ（高速アップリンクパケット接続）（非常に短いフレーム（送信時間間隔すなわちＴＴＩ）を用いるリアルタイム（ＲＴ）サービスを含む）を用いて実現できる。また従来の回線交換サービスは，パケット交換領域に移行しつつある。本発明は現行の移動体通信環境を踏まえて開示されているが，それに限定するものではなく，将来の進化形態にも同様に適用されるものとして広く考えることが望ましい。
【０００３】
ＵＭＴＳ運用事業者は，ＷＣＤＭＡシステムにおいてパケット交換サービスを実現するためにただ１つの周波数を用いるだけでよいが，複数の５ＭＨｚ周波数ブロックが利用できる。潜在的に非対称な通信容量への要求に合わすため，異なる数のダウンリンク（ＤＬ）搬送波及びアップリンク（ＵＬ）搬送波が同時に用いられることが予知される。
【０００４】
スペクトラム効率及び利用できるスペクトラムを柔軟に使用できることが，費用効率のよい将来の解決策の要素になると考えられる。ＤＬ方向の利用可能な無線資源を効率的に利用するためには，システムにおいて複数のＤＬ搬送波が利用可能なとき，別々の利用者にＤＬ搬送波を高速かつ動的に割り当てる必要がある。現行のＷＣＤＭＡ展開計画では，複数のＤＬ搬送波プールからＨＳＤＰＡ搬送波を高速に割り当てることができる信号方式又は信号構造は提供されていない。ＷＣＤＭＡは今のところ多搬送波の解決策を有していない。
【０００５】
（例えば上述の多搬送波又はＩＰ電話（ＶｏＩＰ）のような追加の新サービスなどの）新たな特徴をＨＳＤＰＡに導入するときは，（例えば多搬送波システムにおける搬送周波数など）新規パラメータを通知しなければならないか，若しくはすべてのパラメータ又は現在規定されているとおりのこれらのパラメータの全体範囲でなくてもよい（例えば低いデータ速度のために，ＶｏＩＰについては大きなブロックサイズは決して利用されない）。したがって新規パラメータを通知することができるか，又は既存のパラメータをより信頼性高く通知するために，信号チャネル（高速共有制御チャネルＨＳ−ＳＣＣＨ）の構造を変更する必要がある（例えば転送ブロックサイズ（ＴＢＳ）フィールドがＶｏＩＰに対して短縮されると，より多くの伝送路符号化が可能になる）。
【０００６】
ＨＳ−ＳＣＣＨは，高速ダウンリンク共有チャネル（ＦＳ−ＤＳＣＨ）のパラメータを通知するために用いられる。主要パラメータの１つはユーザ装置識別子（ＵＥ ＩＤ）であって，どのユーザ装置が当該ＨＳ−ＤＳＣＨを復号するかを示す。現在は（現行の仕様によって）ユーザ装置当たりただ１つのＵＥ ＩＤだけが割り当てられる。各パラメータ及びＨＳ−ＳＣＣＨの信号構造は固定である。
【０００７】
ＨＳ−ＳＣＣＨの既存の信号構造は，３ＧＰＰ ＷＣＤＭＡ仕様TS 25.211及びTS 25.212において，ＨＳＤＰＡについて規定されている。ここでいくつかのビットフィールドは，ＵＥへの信号通知のために予約されている。例えば3GPP TS 25.212 V6.4.0（２００５年３月）の４．６章を参照されたい。しかしＷＣＤＭＡの後のリリースでは，上述の進化のために，ＨＳ−ＰＤＳＣＨ（高速物理ダウンリンク共有チャネル）上のデータを受信するＵＥに別の情報を示す必要が生じるかもしれないし，又はＵＥがＢＳ（基地局（３ＧＰＰにおいてはノードＢと呼ばれる）のＭＡＣ（媒体接続制御）から同時に複数のＨＳ−ＤＳＣＨ（高速ダウンリンク共有チャネル）セッションを受信する必要があるかもしれない。現在３ＧＰＰ仕様に規定されているＨＳ−ＳＣＣＨ信号構造には，搬送周波数，若しくは必要又は可能ないくつかのほかの新規Ｌ１／ＭＡＣパラメータを指示する余裕がない。
【０００８】
ユーザ装置が新規パラメータ集合を受信する必要があることだけが単に問題であるときは，ＲＲＣ信号通知によってこれをユーザ装置に通知することができる。したがってＵＥは現在と同様のパラメータであるが，別の信号構造を想定するパラメータを受信できるであろう。しかしＵＥが複数サービスを受信する必要があるときは，ＵＥは，サービス又はあるほかの要因によって，複数のＨＳ−ＳＣＣＨフレームを受信する必要があるかもしれない。特定の送信時間間隔（ＴＴＩ）においてどのＨＳ−ＳＣＣＨ信号構造が用いられているか（すなわちどのパラメータが信号であり，値の範囲はいくつであり，どうやって伝送路符号化されているか，など）をＵＥに通知する機構がない。
【０００９】
ＤＬ信号通知資源のより効率的な利用は，ＤＬ ＨＳＤＰＡ信号方式に，いくらかの新規な，別のＨＳ−ＳＣＣＨ構造を提供することによって達成することができる。例えば，ＨＳ−ＰＤＳＣＨ上のいくらかの送信に関して，必ずしも全部の規定されたフィールドは必要ではないか，潜在的に新規な信号方式を追加するか，又は現存するＨＳ−ＳＣＣＨフィールドのいくつかにはより少ない数のビットで十分である。３ＧＰＰ仕様の後のリリースにおいて別のＨＳ−ＳＣＣＨ構造を規定することは可能であるが，これは，再設計された符号化，分割，エラー検出，などを有する別のＨＳ−ＳＣＣＨとする必要がある。システムに新規なＨＳ−ＳＣＣＨを追加するだけでは，ＵＥがどのＨＳ−ＳＣＣＨ構造を使って受信するかを知る必要があるという問題も引き起こす。反対に上述のように，ＶｏＩＰサービス等のようにＷＣＤＭＡに新規信号構造を導入する複数の理由がある。
【００１０】
パケット交換情報，及びいくらかの新規なＬ１／ＭＡＣパラメータのような信号方式の強化と共に，ＨＳＤＰＡを強化する必要性の観点で，ＨＳＤＰＡが近い将来広く展開するであろうことを予想して，ＨＳ−ＳＣＣＨへの変更を避けたい要望は当然あるだろう。本発明は，ＨＳ−ＳＣＣＨ信号構造を変えることなくこれら新規パラメータを通知する方法，又は後方互換，すなわち既存のＨＳ−ＳＣＣＨ信号構造に一致するように，既存ＨＳ−ＳＣＣＨが別の信号方式を用いて信号通知を行うように修正する方法，について提案する。
【００１１】
この課題はまだ解決されていない。本発明は多搬送波ＷＣＤＭＡ又はＶｏＩＰに特に限定したものではないことに再度注意されたい。
【発明の開示】
【課題を解決するための手段】
【００１２】
本発明の第１態様によれば，１つのユーザ装置に関する多数のユーザ装置識別子を割り当てるステップと，上記多数のユーザ装置識別子それぞれに，多数の異なる信号構造の１つを関連させるステップと，を有する方法が提供される。この方法は，ネットワーク要素，ユーザ装置，又はその双方において実行できる。識別子は，無線インタフェースのいずれかの側のデバイス間で調停できる。本発明の方法の更なる詳細を以降に開示する。
【００１３】
本発明の第２態様によれば，要求信号に反応して１つのユーザ装置に対して多数のユーザ装置識別子を示す信号を供給する割当てモジュールと，多数のユーザ装置識別子を示す上記信号に反応して，多数の異なる信号構造の１つを上記記多数のユーザ装置識別子のそれぞれに関連させ，前記多数のユーザ装置識別子及びその関連信号構造を示す信号を供給する関連モジュールと，を備えるデバイスが提供される。このデバイスはネットワーク要素及びユーザ装置内で用いることができる。本発明の第２態様によるデバイスの更なる詳細を以降に開示する。
【００１４】
本発明の第３態様によれば，１つのユーザ装置に関して多数のユーザ装置識別子を割り当てる手段と，多数の異なる信号構造の１つを前記多数のユーザ装置識別子のそれぞれに関連させる手段と，を備えるデバイスが提供される。本発明の第３態様によるデバイスは，ネットワーク要素及びユーザ装置内で用いることができる。
【００１５】
本発明の第４態様によれば，本発明の第１態様による方法を実行することができる，計算機可読媒体に記憶された計算機プログラムが提供される。あるいは上記計算機プログラムは，１つのユーザ装置に関して多数のユーザ装置識別子を割り当て，前記多数のユーザ装置識別子それぞれに，多数の異なる信号構造の１つを関連させる。
【００１６】
本発明の第５態様によれば，本発明の第２態様又は第３態様若しくは第２態様及び第３態様双方による２つのデバイスを，無線インタフェースの双方の側に任意の組合せで備えるシステムが提供される。
【発明を実施するための最良の形態】
【００１７】
３ＧＰＰ ＷＣＤＭＡシステムにおいて，基地局（ノードＢ）は信号通知（制御）情報を４つの異なる高速共有制御チャネル（ＨＳ−ＳＣＣＨ）に送信する。４以上でも可能である。ＨＳ−ＳＣＣＨは，例えば２ｍｓ送信時間間隔（ＴＴＩ）など，同一の反復する時間間隔で並行して送信される。ＨＳ−ＳＣＣＨは，セルに存在する種々のユーザ装置（ＵＥ）が監視できるようにセル全体又はその一部に送信される。このときＵＥは，ノードＢに周期的に（例えば１０ｍｓごと）チャネル品質指示子（ＣＱＩ）信号を返送する。先行技術によれば，特定のＵＥについての制御情報は，４つの並行するＨＳ−ＳＣＣＨのうちただ１つに含まれる。ＵＥが４つすべてのＨＳ−ＳＣＣＨを検査できるときは，４つの可能性のあるチャネルの１つにおいてＵＥ識別子を検査することによって，自分にあてたＨＳ−ＳＣＣＨを見付けようとする。ＨＳ−ＳＣＣＨの第１部分で自分に唯一のＵＥ ＩＤを検出したときは，わずかに後から到着するＨＳ−ＰＤＳＣＨ（高速物理ダウンリンク共有チャネル）から抽出したデジタルサンプルに含まれる情報を適切に処理できるように，当該ＨＳ−ＳＣＣＨの第２部分を読み込む。物理チャネルを復調して（チャネル化符号単位で）復号するために必要なパラメータは，各ＴＴＩの第１部分，すなわちＨＳ−ＳＣＣＨに用いられる２ｍｓの送信時間間隔の最初の１／３，に含まれる。２ｍｓＴＴＩは３つの均等な期間スロットに分割され，第１部分は期間（２／３ｍｓ）中に１スロット，第２部分は期間中２スロット（４／３ｍｓ）であり，復調し復号した情報を更に処理するために必要な情報を含んでいる。ＨＳ−ＰＤＳＣＨフレームはＨＳ−ＳＣＣＨの第１部分の後から始まる。
【００１８】
本発明によれば，２以上のＵＥ識別子を１つのＵＥに割り当てる，すなわち指定することができ，各識別子は特定の送信時間間隔にどの信号構造が用いられているかを示すか，又はある新規パラメータ値を示すか，又はその双方を示す。
【００１９】
一実施例によれば，２以上のＵＥ ＩＤが１つのＵＥに割り当てられ，すなわち指定され，かつＵＥ ＩＤが現在のＴＴＩにどのＨＳ−ＳＣＣＨ信号構造が使われているかを示すとき，この方法によって構造を動的に変更することができる。例えば，ＶｏＩＰに最適化された第１構造と，別のサービスに既に指定されたもののような通常情報用の別の構造と，のような異なるＨＳ−ＳＣＣＨ構造の要望があるとき，本発明によってＵＥ ＩＤを１つのＵＥに，ＶｏＩＰ用に１つ及びそれ以外用にもう１つ，割り当てる，すなわち指定することができる。ノードＢがＵＥにＶｏＩＰパケットを送信したとき，ＵＥはＵＥ ＩＤを用いて現在（現在のＴＴＩにおいて），ＨＳ−ＳＣＣＨ構造が今や新規なＶｏＩＰに最適化した構造であることを示す。そしてほかのデータに関しては，もう１つのＵＥ ＩＤ及びＨＳ−ＳＣＣＨ信号構造が用いられる。
【００２０】
又は別の実施例によれば，高データ速度だけをある搬送波（ＤＯ−ＤＳＣＨ）に割り当て，低いデータ速度はコア帯域上の搬送波を割り当てることができる。次に，高速データ速度搬送波（ＨＳ−ＳＣＣＨはまた，搬送波及び帯域も指示する）に対応するために別のＨＳ−ＳＣＣＨ信号構造を有し，そしてコア帯域の情報に対応するために通常の構造を有することができる。ＵＥは２つのＵＥ ＩＤ，すなわち１つは通常運用用，もう１つは多搬送波運用用，を割り当てられる。したがってＵＥ ＩＤは，どの信号構造が使われているかをＨＳ−ＳＣＣＨ上で示す。
【００２１】
ＨＳ−ＳＣＣＨ信号構造は現在3GPP TS 25.212，V6.4.0（２００５年３月）において規定されており，次に掲げるパラメータを搬送する（TS 24.212の４．６章を参照）。変調方式（１ビット），ユーザに指定されたチャネル化符号集合（７ビット），並びに転送ブロックサイズ（６ビット），ＨＡＲＱプロセスＩＤ（３ビット），冗長性及び配置バージョン（３ビット），新規データ指示子（ＮＤＩ）（１ビット），ＵＥ特定ＣＲＣ（１６ビット）。ＵＥ特定ＣＲＣは通常の１６ビットＣＲＣとして計算され，１６ビットのＵＥ ＩＤ（Ｈ−ＲＮＴＩ（ＨＳ−ＤＳＣＨ無線ネットワーク一時識別子））との排他的論理和が取られる。ＵＥ特定ＣＲＣと同時に用いるだけでなく，ＵＥ ＩＤはまたＨＳ−ＳＣＣＨの第１スロットのＵＥ特定マスクにも用いられる（上記によって示唆されるとおり，ＨＳ−ＳＣＣＨ ＴＴＩの第１スロットは，変調方式及びチャネル化符号集合パラメータを含む）。ＵＥ特定マスク及びチャネル化符号集合パラメータの詳細については，特に３ＧＰＰ仕様書TS 25.212の図１９符号化チェーンを参照されたい。ＨＳ−ＳＣＣＨ送信の第１スロットのＵＥ特定マスクを用いて，ＵＥは素早く送信が自己のものか，そうでないか，を識別することができる。マスクが一致したとき，ＵＥは指示されたＨＳ−ＰＤＳＣＨの符号チャネルの復調を開始し，同時にＨＳ−ＳＣＣＨの残りの部分（更なるプロセス情報を有する第２部分）を読み出す。ＨＳ−ＳＣＣＨの終わりにあるＵＥ特定ＣＲＣは送信がこのＵＥにあてたものであり，同時にパラメータが正しく（エラーなしで）受信されているかを確認する。
【００２２】
本発明によれば更に，特定のＵＥと関連する複数のＵＥ ＩＤも別のＨＳ−ＳＣＣＨ信号構造，すなわち前の段落で記述したものと異なる構造を示すことができる。
【００２３】
このように本発明によれば更に，例えば図２に示すとおり，例えばＵＥが受信できる各可能性のあるＨＳ−ＳＣＣＨ構造の１つなど，１つのＵＥに複数のＵＥ ＩＤを割り当てるばかりでなく，複数の可能性のある信号構造の任意の１つと関連付けるように，ＵＥ ＩＤを割り当てできるようにすることが提案される。ＵＥ ＩＤと対応するＨＳ−ＳＣＣＨ構造との対応付けは，例えばＵＥとネットワークとの間で，コネクション設定フェーズにおいてＲＲＣ信号通知を介して合意を得ることができる。ＵＥ ＩＤは，今日用いられているのと同一の方法でＨＳ−ＳＣＣＨ上で用いられる。第１スロットのＵＥ特定マスク及びＵＥ特定ＣＲＣ双方については，特定ＵＥが自分に指定された２以上のＵＥ ＩＤを有する可能性はない。
【００２４】
ここで図１Ａを参照すると，デバイス１０は受信器モジュール１２と，信号プロセッサ１４と，送信器モジュール１６と，を備える。デバイス１０は例えば，基地局すなわちノードＢのようなネットワーク要素であってもよいし，若しくはユーザ装置すなわち移動機であってもよい。このような場合，本発明がそれに制限されるものでなく，受信器モジュール及び送信器モジュールは，無線インタフェース上で１又は複数のアンテナを介して，別のデバイスと通信する。デバイス１０が基地局すなわちノードＢであるときは，デバイスは３ＧＰＰ仕様書において「ユーザ装置」として知られる移動機及び無線インタフェースを介して通信することができる。デバイス１０がユーザ装置であるときは，ノードＢすなわち基地局をなすネットワーク要素及び無線インタフェースを介して通信する。どちらの場合も思想は同一であり，図１Ａに示すデバイス１０は，例えば接続点であるコアネットワーク側か，又は無線インタフェースのユーザ装置側かいずれかにおける全体又は一部として一般に説明される。また，一連のモジュールはある順序で直列に接続されているように示されているが，この順序は変えてもよく，各モジュールに関して特定される機能が任意のあるモジュール又は各モジュールの任意の組合せについて示されている順序の前又は後に実行できるように再配置できることを理解されたい。また各モジュールは，本発明から逸脱することなく追加又は削除してもよいことを理解されたい。また換言すれば，図示されていない多少のモジュールを，本発明を実行するために図示されているモジュールと組み合わせて用いることができることを理解されたい。換言すればある実施例においては，あるモジュールを省略し，あるほかのモジュールを追加してもよい。更に例示した機能は別のエンティティによって実行することができ，同一の「デバイス」によって実行する必要はない。したがって「デバイス」という用語は，そのような意味で理解することが望ましい。例えばある機能の一部をあるデバイスによって実行し，同一の機能のもう１つの部分をもう１つのデバイスによって実行することも可能であろう。このように機能を区分するとき，その機能の一部を無線インタフェースの一方の側で実行し，残りの部分を反対側で実行することすら可能である。したがって，図１Ａのデバイス１０によって実行される信号処理の説明は，例示した機能を，必要な状況によって又は設計者の選択によって，任意の順序又は任意の位置で実行できる可変信号処理デバイス又は方法として理解することが望ましい。図１Ａのデバイス１０は最初に，例えば基地局すなわち３ＧＰＰネットワークのノードＢなどのネットワーク要素又はその一部として説明され，続いて図１Ｂに関連して同一の３ＧＰＰネットワークにけるユーザ装置の役割又はその一部を満たすものとして説明される。
【００２５】
ここでは図１Ａのデバイス１０がノードＢのようなネットワーク要素であると仮定すると，受信器モジュール１２は無線インタフェースを介したユーザ装置から線１８によって，ネットワークに複数のサービスを要求する要求信号を受信する。受信器モジュールはこの要求信号を処理して，ネットワーク要素の信号プロセッサ１４へ線２０上で処理した要求信号を供給する。この機能及び説明するほかの機能は，コアネットワーク内のどこでも実行できる。本発明の実施例によれば，割当てモジュール２２は線２０上の処理した要求信号に反応して，複数サービス要求を行った１つのユーザ装置に関する多数のユーザ装置識別子を割り当てるものである。例えば割当てモジュール２２は，１つのユーザ装置が要求した各サービスに別個のユーザ装置識別子を指定することができる。割当てモジュール２２が実行した割当て処理の結果は，線２４上の信号によって関連モジュール２６に通知され，関連モジュールは本発明によって，線２４上の信号が特定する多数のユーザ装置識別子それぞれに信号構造，パラメータ，又はその双方を関連付ける。これら信号構造，パラメータ又はその双方は，利用可能な多数の異なる信号構造，パラメータ，又はその双方から関連モジュールによって選択される。関連モジュールは，ユーザ装置が要求したサービスに適当な構造，パラメータ，又はその双方を指定することができる。次に関連モジュール２６は，関連モジュールが選択し，割当てモジュールが割り当てた上記多数のユーザ装置識別子及びその関連信号構造，パラメータ，又はその双方を示す信号を線２８上に供給する。図には２つの別のモジュール２２，２６として示されているが，これらモジュールの１つ又は双方は，ユーザ装置識別子を割り当て，指定する１つのモジュールと考えてもよく，ユーザ識別子はＨＳ−ＳＣＣＨ構造，パラメータ，又はその双方を示すか，若しくは既存のＨＳ−ＳＣＣＨ構造におけるあるパラメータの存在を示すことを認識されたい。
【００２６】
調停モジュール３０は，関連モジュール２６からの線２８上の信号に反応して，多数のユーザ装置識別子及びその関連信号構造，パラメータ，又はその双方についてユーザ装置が処理する前に調停するために，無線インタフェースを介してユーザ装置へ返送するために線３２上に信号を供給することができる。送信モジュール１６は線３２上の信号に反応し，ユーザ装置の考慮用に，提案する識別子及び信号構造，パラメータ，又はその双方として多数のユーザ装置識別子及びその関連信号構造，パラメータ，又はその双方をユーザ装置へ送信する。ユーザ装置が合意したときは，受け入れを線１８上の信号によって無線インタフェースを介してデバイス１０へ通知し，信号は受信器モジュール１２が受信し，線３４上の信号として処理されて調停モジュール３０へ転送される。ユーザ装置が提案された多数のユーザ装置識別子及び関連信号構造，パラメータ，又はその双方に合意したときは，調停モジュール３０は線３４上の信号からそのことを判定することができ，次に調停済み信号を線３６によってサービスモジュール３８へ供給する立場になり，サービスモジュールはユーザ装置が要求した対応する異なるサービスの，以前に調停した信号構造，パラメータ，又はその双方を用いて，多数の調停済みユーザ装置識別子及びその関連信号構造，パラメータ，又はその双方を用いて，送信モジュール１６を介してネットワークからユーザ装置へ，要求サービスを配信する処理を実行する。これは，サービスモジュール３８から送信器モジュール１６へ供給される，線４０上の信号によって示される。送信器は，線４１上の信号によって，無線インタフェースを介してサービスを提供するように示されている。調停処理中にユーザ装置から返送された線３４上の信号通知は，ユーザ装置がある理由で提案された多数のユーザ装置識別子及び関連する信号構造，パラメータ，又はその双方を受け入れられないことを示し，調停モジュールは線４２上の信号を割当てモジュール２２に返送し，割当てモジュールはその事実を通知し，提案を変更するか，再提案を行うかいずれかである反復処理を要求する。この方法で，双方が合意できる多数のユーザ装置識別子及び適切な関連する信号構造，パラメータ，及びその双方を決定するためにネットワーク要素とユーザ装置との間で調停を繰り返すことができる。図には３つの別個のモジュール２２，２６，３０として示されているが，これらモジュールの１又は複数は，ＨＳ−ＳＣＣＨ構造又は既存のＨＳ−ＳＣＣＨ構造内のあるパラメータの存在を示すユーザ装置識別子を割り当て又は指定する１つのモジュールと見なしてもよい。サービスモジュールは２つの別個のモジュールを含み，１つは本発明によって関連ＵＥ識別子を有する信号通知（例えばＨＳ−ＳＣＣＨ上で）を行うものであり，もう１つはサービスそのものを（例えばＨＳ−ＰＤＳＣＨ上で）提供するものであってよい。
【００２７】
例示した実施例において，サービスモジュールが提供して線４０上を送信器モジュールに供給されるサービスは，実際には転送チャネルを用いてアンテナと共に送信器モジュールが信号線４１上を無線インタフェース上で配信することを理解されたい。転送チャネルは割当て結果通知処理（ＵＥ識別子の指定）と，関連処理（ＵＥ ＩＤと信号構造，パラメータ，又はその双方との関連付け）と，そして今説明した調停と，に用いられる信号通知チャネル（例えばＨＳ−ＳＣＣＨ）とは異なる。前述のＨＳＤＰＡ環境においては，ＨＳ−ＰＤＳＣＨは，ＨＳ−ＳＣＣＨ（信号通知）フレームが既に始まった後に送信され，それによってＨＳ−ＳＣＣＨ ＴＴＩの第２部分の中間点で着信する。ＨＳ−ＳＣＣＨは受信器が転送チャネルが搬送するデータを復調し，復号する（チャネル符号単位で）ために必要とする情報を含んでいるので，わずかに前もって送信される。換言すれば，例えばＨＳ−ＰＤＳＣＨは，ＨＳ−ＳＣＣＨの第３（最後の）スロットの始めに着信し始めるのが望ましい。ＨＳ−ＰＤＳＣＨフレームは，本実施例においてはＨＳ−ＳＣＣＨ ＴＴＩと同一の期間，すなわち２ｍｓであることに言及する必要がある。このようにそれらは部分的に重なるが，ＨＳ−ＳＣＣＨ ＴＴＩはＨＳ−ＰＤＳＣＨ ＴＴＩの始めより４／３ｍｓ前に始まる。
【００２８】
図１Ａのデバイス１０はこれまでネットワーク要素の役割をするものとして説明してきたが，ユーザ装置の役割もすることができることは既に述べた。ここでそのような役割について詳細に説明する。図１Ｂ左側にデバイス１０ａと記した上述のネットワーク要素実施例を示す。接尾辞”ａ”を除いて図１Ａで用いた上述の参照符号を図１Ｂの左側で繰り返し使用している。右側にはデバイス１０ｂと記したユーザ装置実施例を示す。図１Ｂのシステム実施例においてユーザ装置１０ｂは，例えば調停モジュール３０ｂによってネットワーク要素１０ａへ上述の複数サービスの要求を送信することができる。しかし要求は，上述のある別の（図示していない）モジュールによって実行することができる。調停モジュール３０ｂが要求を送信したとき，線３２ｂ上の信号は送信モジュール１６ｂに要求を搬送し，要求をアンテナ１７を介してアップリンク１７ａ上でノードＢ又は基地局をなすネットワーク要素１０ａに要求を送信する。このような要求の受信については，図１Ａに関するすぐ上の説明において，ネットワーク要素１０ａの実施例に関連して既に説明している。既に説明したとおりこのような要求は，ネットワーク要素１０ａにおいて，ユーザ装置１０ｂとの調停処理結果と同時に処理される。ネットワーク要素１０ａが多数のユーザ装置識別子及び関連信号構造，パラメータ，又はその双方を提案し，ユーザ装置にアンテナ１７ｃを介して，ダウンリンク１７ｂの線４１ａ上で同じものを通知するとき，それはユーザ装置１０ｂ実施例の受信器モジュール１２ｂにおいて受信され，線３４ｂ上で調停モジュール３０ｂに供給される。ユーザ装置実施例１０ｂにおいて，調停モジュール３０ｂは提案され，ネットワーク要素によって送信され，及び同一内容で合意した識別子及び関連信号構造，パラメータ，又はその双方を考慮してもよい。この場合調停モジュール３０ｂは信号を線３２ｂ上で送信器モジュール１６ｂへ送信し，それに応答して受諾信号が無線インタフェースを介してネットワーク要素１０ａへ返送される。調停モジュール３０ｂがその提案を受け入れられないときは，ＵＥ１０ｂは単に非受諾を逆に通知し，ネットワークが前に説明したとおり新規提案を行うようにさせる。又は，例えば線４２ｂ上で信号をユーザ装置１０ｂの割当てモジュール２２ｂへ供給し，そしてユーザ装置は自身の多数のユーザ装置識別子を提案し，そのうちの１つを信号線２４ｂ上を関連モジュール２６ｂへ供給する。ここで各識別子に適当な信号構造，パラメータ，又はその双方は，識別子と関連付けられて，調停モジュール３０ｂへ線２８ｂ上を逆に通知される。そして調停モジュール３０ｂは，同じものを送信器モジュール１６ｂを介してネットワーク要素に線３２ｂ上を逆に提案することができる。
【００２９】
一方図１Ｂに示すデバイス１０ｂの実施例におけるユーザ装置は，始めにネットワーク要素１０ａから提案を受信することなく，本発明の方法を自身で起動することができる。換言すればユーザ装置１０ｂは，ある（図示していない）アプリケーション層モジュールによって，１又は複数のサービスが所望されていることを割当てモジュール２２ｂに通知することができ，したがって割当てモジュールはユーザ装置１０ｂが使用するための対応する１又は多数のユーザ装置識別子を割り当て，その識別子を信号線２４ｂ上で関連モジュール２６ｂへ送信する。ここで関連付けは要求サービスを考慮して，対応する信号構造，パラメータ，又はその双方と，多数のユーザ装置識別子との間で行われる。多数のユーザ装置識別子及び関連信号構造，パラメータ，又はその双方を提案する準備ができたとき，その識別子が信号線２８ｂ上を調停モジュール３０ｂへ送信され，そして調停モジュールは信号をネットワークが考慮するために，無線アップリンク上をネットワーク要素１０ａへ送信するように，線３２ｂ上で送信器モジュール１６ｂへ供給する。ネットワークが合意すると受諾信号が無線ダウンリンク１７ｂ上に送信され，それをユーザ装置１０ｂのアンテナ１７が受信し，そして線１８ｂ上を受信器モジュール１２ｂへ供給され，そこで処理され，そしてユーザ装置１０ｂの調停モジュール３０ｂへ線３４ｂ上を逆に供給される。多数のユーザ装置識別子及び関連信号構造，パラメータ，又はその双方が，ユーザ装置及びネットワーク要素双方によって合意されると，調停モジュール３０ｂは調停が成功した多数のユーザ装置識別子及び関連信号構造，パラメータ，又はその双方を，信号線３６ｂ上をサービスモジュール３８ｂへ通知し，サービスモジュールは，ネットワークサービスの配信及び消費にネットワーク要素によって参加する前に情報を処理する。ネットワークサービスは，ネットワーク要素へのアンテナ１７を介したアップリンクの線４０ｂ上の情報送信と，ネットワーク要素１０ａからユーザ装置１０ｂへのダウンリンク１７ｂの線１８ｂ上を送信されるサービスの受信と，の双方を含む。ＨＳ−ＰＤＳＣＨ上のデータペイロードパケットをなすサービスをサービスモジュールが送信する前に，サービスモジュールはそのサービスに対応して以前に指定されたＵＥ識別子を用いて，ＨＳ−ＳＣＣＨ上で対応する信号を送信する。受信器モジュール１２ｂはそのＨＳ−ＳＣＣＨ信号構造を受信し，割当てモジュール２２ｂに供給する。そこで信号構造が検査され，特定の１つのＵＥ１０ｂに属する（以前に指定された）ことが認識される。そして割当てモジュールは，その特定のＵＥ ＩＤを関連モジュール２６ｂへ通知し，対応する信号構造，パラメータ，又はその双方が決定される。そしてこの情報は，引き続いて着信するペイロードを有するサービスパケットを解釈する際に用いるため，サービスモジュールに直接供給することができる。そして受信器モジュール１２ｂは，ダウンリンクの線１８ｂ上で配信されるサービスパケットを受信し，ダウンロードしたサービスパケットをＵＥ１０ｂ内で解釈し，消費するため，サービスモジュール３８ｂに線４３上で直接，すなわち高次層で供給することができ��。
【００３０】
図１Ａ及び１Ｂに関連して上述したネットワーク要素及びユーザ装置の実施例は種々のモジュールの組合せを含むハードウェアとして示されているが，これらのモジュールはまた，特定された機能を実行する手段を含み，それで割当てモジュールは１つのユーザ装置に対する多数のユーザ装置識別子を割り当てる手段に対応し，関連モジュールは，信号構造，パラメータ，又はその双方と，多数の異なる信号構造，パラメータ，又はその双方の中から，多数のユーザ装置識別子のそれぞれに信号構造，パラメータ，又はその双方を関連付ける手段に対応する。調停モジュールは，識別子を調停する調停手段と見なすことができ，サービスモジュールは無線インタフェースを介して搬送されるサービスを提供し，消費し，又はサービスに参加する手段と見なすことができる。このようなサービスは，ＶｏＩＰのようなリアルタイムサービス，リアルタイムサービスほどには遅延に影響されないデータサービス，又はその類似物を含んでもよい。またこのような手段は，図７の信号プロセッサ，若しくはＡＳＩＣ又はＤＳＰのような均等なハードウェア構造物によって実行されるコード化された命令によって実行される図５及び６のフローチャートに関連して以降に説明する機能を含むものと理解されたい。
【００３１】
ＨＳＤＰＡ環境で用いる本発明の実施例は，限定ではないが，ＨＳ−ＳＣＣＨの第１部分が現状と代わらないことを要する。すなわち制御ビットの数（＝８）は同一であり，チャネル符号化と，分割と，ＵＥ特定マスクと，も同様である。これら８個の制御ビットの内容は，ＵＥ ＩＤに依存してもよい。第２部分は変更してもよい。すなわち，制御ビットの数及びチャネル符号化，分割，等も異なってよく，したがって例えば図２に示すように将来も使える。前に述べたように，ＨＳ−ＳＣＣＨの第１部分は８ビットであり，１ビットは変調方式用，７ビットはチャネル化符号集合用である。これらは畳み込み符号化されＵＥ ＩＤから得られたシーケンスでマスクされる。ＶｏＩＰ又はあるほかの低ビット速度サービスについては，送信するビット数は少なくてよく，通常はＱＰＳＫ変調だけが用いられ，ほんのわずかな，例えば１つ又は２つのチャネル化符号（すなわちＨＳ−ＰＤＳＣＨ）だけが必要である。したがってこのサービス又はユーザにＱＰＳＫだけを用いるときは，ＨＳ−ＳＣＣＨ上に変調方式を示す必要はない。類似して最大２つのチャネル化符号だけが必要なときは，チャネル化符号集合は５ビットで示すことができる（４ビットは符号の開始点を示し，１ビットは符号の数，すなわち１又は２，を示す）。次にＨＳ−ＳＣＣＨ第１部分の残りの３ビットは，ほかの目的に使う（例えば，ほかのパラメータを通知する）ことができる。可能性のあるチャネル化符号の量が例えば８など小さいときは，符号開始点を示すために３ビットだけが必要である。この場合全体では４ビットだけが必要であり，したがってその性能は，畳み込み符号化の前にそのビットを２回反復するだけで改善できる。符号を反復する代わりにほかのより強力なブロック符号を用いて，マスク及び畳み込み符号化構造を変更することなく，第１部分の信号ビットの性能を改善することができる。ＵＥはＵＥ ＩＤ（第１部分をマスクするために用いられる）を用いて，第１部分の８ビットによってどのパラメータが通知されているかを知る。更に，第１部分を受信した後，検出されたＵＥ ＩＤ（第１部分をマスクするために用いられる）を用いて，ＵＥはどのようにＨＳ−ＳＣＣＨの第２部分を解釈するかを知る。さて第２部分を完全に変更することも可能である。信号ビットの数，及びそれらのビットの意味も異なってよい。チャネル化符号さえも，現在の仕様で用いられているものとは異なる。例えばＶｏＩＰの場合，転送ブロックサイズ（ＴＢＳ）はより限定され，６ビット未満が割り当て可能である。更に冗長性バージョンの数はもっと少なくともよい。より少ない信号ビットによって，より強固なチャネル符号化を用いることができ，したがって必要な送信電力はより少なくなる。あるいは，複数又はほかの信号パラメータを送信してもよい。
【００３２】
このように，これまで詳細に説明したとおり本発明が非常に必要とされる１つの例は，ＨＳ−ＤＳＣＨ上のＶｏＩＰ送信である。ＶｏＩＰパケットは通常小さく，現在ＨＳ−ＳＣＣＨで規定されているすべての制御ビットは必要ではない。ＶｏＩＰにより最適化したＨＳ−ＳＣＣＨ信号構造を規定することができる（例えば第２部分のより強固なチャネル符号化による）。したがってＶｏＩＰ情報及びほかのデータ情報双方を受信するＵＥは，２つのＵＥ ＩＤ，すなわち１つはＶｏＩＰ用，残りは残りのデータ情報用，を設定するであろう。ＶｏＩＰパケットがＵＥに送信されると，ＶｏＩＰ特定のＵＥ ＩＤ及び対応するＨＳ−ＳＣＣＨ信号構造が用いられ，そしてほかのデータをＵＥに送信するときは，もう１つのＵＥ ＩＤを有する通常のＨＳ−ＳＣＣＨ信号構造が使われるであろう。
【００３３】
図２は，ＨＳ−ＳＣＣＨ第１部分に用いられるＵＥ ＩＤを主体とするマスクによって，信号構造（Ａ，Ｂ又はＣ）のどれがＨＳ−ＳＣＣＨ第２部分に用いられているかを示すことを示している。Ａは現在規定されている信号構造（規定されたパラメータ，その値の範囲及び解釈，及びチャネル符号化を含む），Ｂは例えばＶｏＩＰ用に（上記のとおり）新規に規定された信号構造，Ｃは例えば多搬送波送信用の新規に規定した信号構造である。そしてＵＥが通常の（現在の仕様による）ＨＳ−ＳＣＣＨ送信と，ＶｏＩＰ送信と，多搬送波送信と，を受信することになっているときは，３つの異なるＵＥ ＩＤが１つのＵＥに割り当てられる。あるＵＥが通常の送信だけを受信するときは，ただ１つのＵＥ ＩＤが割り当てられる。
【００３４】
本発明の別の実施例は，ＨＳ−ＳＣＣＨの仕様書に既に規定されているのと同一の信号構造（同一の値の範囲及び同一のチャネル符号化を有する同一のパラメータ）を用いるが，そのＵＥ ＩＤをある新規パラメータ値，例えば多搬送波システム用の搬送周波数，又はマルチストリームＭＩＭＯのストリームＩＤ，又は追加ＨＡＲＱプロセスＩＤを示すために用いることを含む。搬送周波数又はストリームＩＤの例は，新規パラメータであるが，一方追加ＨＡＲＱプロセスＩＤの例は既存パラメータの値範囲の拡張である。例えば４つの搬送波を有する多搬送波システムでは，各多搬送波ＵＥにＵＥ ＩＤが割り当てられる。そしてこのＵＥにデータを送信するためにどの搬送波又は帯域が利用されているかによって，対応するＵＥ ＩＤが用いられる。これは例えば明示的に行ってもよいし又は暗黙に行ってもよい。
【００３５】
このように本発明の実施例は，現在規定されているＨＳ−ＳＣＣＨ用と同一のパラメータと，同一の値範囲と，同一のチャネル符号化と，を有する同一の信号構造を用いる。しかしある新規パラメータ値を示すためには，別のＵＥ ＩＤを用いる。
【００３６】
Ａ）明示的方法（図３Ａ参照）
図３Ａは高速搬送波指定のための実現例Ａを示す。ここでＤＬ搬送波帯域（Ａ（コア），Ｂ，Ｃ，又はＤ）は，ＨＳ−ＳＣＣＨが搬送する組み込み情報として明示的に示される。組み込み情報は，搬送周波数又は帯域を示すＵＥ ＩＤを示す。
【００３７】
図３Ａにおいて，ＵＥ ＩＤ１は帯域Ｄを明示的に示し，ＵＥ ＩＤ２は帯域Ｃを明示的に示し，等々のために用いられる。この方法によれば，ある新規パラメータを送信するため，又はあるパラメータの値範囲を拡張するためにＨＳ−ＳＣＣＨ信号構造を変更する必要はない。同時に，１つのＵＥに２以上のＵＥ ＩＤを割り当てることができ，それによって異なる送信時間間隔（ＴＴＩ）に用いる異なるパラメータに動的に変更することができる。
【００３８】
このようにＤＬ ＨＳ−ＳＣＣＨは，周波数帯域（例えばＡ（コア），Ｂ，Ｃ，又はＤ）を明示的に示す情報をその中に組み込んで搬送する。ここでＵＥはＨＳ−ＰＤＳＣＨを受信する。ＵＥが組み込まれた情報を復号した後，コア搬送波とは異なるＤＬ搬送波上の信号の受信を開始することができる。この場合ＵＥ ＩＤは，ＨＳ−ＳＣＣＨが「多搬送波」構造を用いることを示すことができる。これは例えば，第１部分が変調情報及びチャネル化符号情報の代わりに搬送周波数情報を搬送することを意味する。これによってＵＥは，指示された周波数帯域（搬送波）のデータをバッファし始めることができるようになる。「多搬送波」構造は更に，第２部分が新規搬送波上のデータと共に送信されることを意味する。最大４つの搬送周波数があるときは，搬送周波数を示すために２ビットが必要である。したがって変調方式及びチャネル化符号集合用には６ビットだけが残される。残りのデータ搬送波（ＤＯ−ＤＳＣＨ＝データ専用ダウンリンク共有チャネル）が高ビット速度のためだけに割り当てられる（例えばただ１つの符号が使用され指示する必要がない）ときは，これで十分である。残りの可能性は，情報の一部をほかのパラメータと共に第２部分によって送信することである。また図３に示すように，すべてのＨＳ−ＳＣＣＨ情報をコア帯域で送信することもできる。そのときＵＥは，複数の帯域を同時に受信できる必要がある。コア帯域のＨＳ−ＳＣＣＨと，別の帯域のＤＯ−ＤＳＣＨと，データ送信に用いる帯域と，はＨＳ−ＳＣＣＨで用いるＵＥ ＩＤによって判定される。
【００３９】
別の明示的信号通知方法を図３Ｂに示す。ここでは明示的なＤＬ搬送波パラメータがＨＳ−ＳＣＣＨの好ましくは第１部分に追加され，それはＤＯ−ＤＳＣＨより前に送信される。これによってＨＳ−ＳＣＣＨ信号構造又はパラメータフィールドを変更する必要が生じる。変更したＨＳ−ＳＣＣＨ信号構造は，例えばＲＲＣ信号通知によってＵＥに通知することができる。このようにこの場合はただ１つのＵＥ ＩＤがあればよい。ＵＥは通常ＨＳ−ＳＣＣＨチャネルを検出して復号し，ＵＥ ＩＤマスクに一致するＨＳ−ＳＣＣＨを見付けると，ＨＳ−ＳＣＣＨからパラメータを読み出す。ここでＨＳ−ＳＣＣＨで送信されるＤＬ搬送波用の新規パラメータは，データ送信又はデータ受信に用いる帯域を通知する。
【００４０】
Ｂ）暗黙の方法（図４参照）
図４に高速搬送波指定の実現例Ｂを示す。ここでＤＬ搬送波は，ＵＥに指定されたＨＳ−ＳＣＣＨ上で使用されるチャネル化符号と暗黙に対応付けられる。
【００４１】
ＤＬ ＨＳ−ＳＣＣＨチャネル化符号は，ＤＬ搬送波番号に暗黙に対応付けられる（この対応付けは，例えばＲＲＣ信号通知を介してＢＳとＵＥとで事前に合意されたものである）。ＵＥが特定のチャネル化符号を有するＨＳ−ＳＣＣＨ上に自己の情報を検出すると，事前に合意した対応付けによるチャネル化符号とＤＬ搬送波番号との間の暗黙の関係によって示されるとおりＨＳ−ＰＤＳＣＨを受信するＤＬ搬送波に切り替える。例えばＵＥが図４のＨＳ−ＳＣＣＨを復号し，それに割り当てられたＵＥ ＩＤがチャネル化符号Ｃで用いられるＵＥ ＩＤマスクと一致することを見付けると，ＵＥは帯域Ｃにデータ送信があることを知る。類似してデータが帯域Ｄで送信されているときは，チャネル化符号Ｄを用いたＨＳ−ＳＣＣＨ上で関連制御情報が送信される。
【００４２】
上述のように本発明によれば，可能性のある新規Ｌ１パラメータごとに１つずつ，１つのＵＥに複数のＵＥ ＩＤを割り当てることが提案される。いくつか例を次に示す。
【００４３】
ＤＬ搬送波を示すＵＥ ＩＤ
この例は図３及び４に関連して既に述べたが，特に本発明は複数のサービスを同時に搬送することに関するので，ここで更に詳しく述べる。本発明のこの実施例によれば，例えばＵＥに割り当てられた可能性のある搬送周波数ごとに１つずつ，１つのＵＥに複数のＵＥ ＩＤを割り当てることが提案される。前にも述べたように，ＵＥ ＩＤと搬送周波数との間の対応付けは，例えばコネクション設定段階においてＲＲＣ信号通知を介してＵＥとネットワークとの間で合意される。ＵＥ ＩＤは，ＨＳ−ＳＣＣＨ ＴＴＩの第１部分のＵＥ特定マスク及びＵＥ特定ＣＲＣ双方に現在用いられているのと同じ方法でＨＳ−ＳＣＣＨに引き続き用いられる。
【００４４】
ノードＢスケジューラが，特定の搬送周波数のあるＨＳ−ＰＤＳＣＨ符号チャネルをＵＥに割り当てたとき，ノードＢはこの搬送波に対応するＵＥ ＩＤ，すなわち上述の対応付けによってこの搬送波と関連付けられたＵＥ ＩＤ，を用いてＨＳ−ＳＣＣＨ上で対応するパラメータを送信する。
【００４５】
ＵＥは通常通りＨＳ−ＳＣＣＨチャネルを受信し，自己のＵＥ ＩＤを探す。ここで本発明によれば，ＵＥはいくつかのＵＥ ＩＤを検査する必要があり，自己に割り当てられた１つの（又はいくつかの）ＵＥ ＩＤを見付けたとき，ＵＥはＨＳ−ＳＣＣＨ上で与えられたパラメータ値を用いて，受信したＵＥ ＩＤによって示される搬送波の受信を開始できることを知る。このようにＵＥ ＩＤを探す新規な方法は，先行技術のように唯一のＵＥ ＩＤを探す代わりに，いくつかのＵＥ ＩＤを探す必要がある。ＨＳ−ＳＣＣＨ ＴＴＩの第１部分のＵＥ特定マスクを用いて，ＵＥは変調方式，チャネル化符号，及びＤＬ搬送波も知る。
【００４６】
上記で指摘したとおり，同一の機構を同時にいくつかの搬送波を示すために用いることができる。ＵＥが同時に複数の搬送波上のデータを受信できるときは，この同一の機構を用いて，それら搬送波を示すことができる。ノードＢはいくつかのＨＳ−ＳＣＣＨを同時に用い，各ＨＳ−ＳＣＣＨ上の対応する異なるＵＥ ＩＤ（すなわち１つのＨＳ−ＳＣＣＨ及び搬送波当たり１つのＵＥ ＩＤ）を用いて，この１つのＵＥに通知する。別のＨＳ−ＰＤＳＣＨ搬送波上で送信されるデータは，１つの転送ブロックに属してもよいし，いくつかの転送ブロックに属してもよい。それらが１つの転送ブロックに属するときは，転送ブロックサイズは対応するＨＳ−ＳＣＣＨ上で通知された転送ブロックサイズの合計である。データがいくつかの転送ブロックによって送信されるときは，搬送波当たり１つの転送ブロックがあり，かつ各ＨＳ−ＳＣＣＨ搬送波は１つの搬送波についての情報だけを搬送する。
【００４７】
ＨＡＲＱ（ハイブリッド自動再送要求）プロセスＩＤを示すＵＥ ＩＤ
１ＴＴＩ期間に２以上の転送ブロックが１つのＵＥに送信されるとき（別個の搬送波又は別個のデータストリームのいずれかで（例えばＭＩＭＯ）），別個のＨＡＲＱプロセスをそれぞれに割り当てる必要がある。これは，例えば各プロセスについて，伝送チャネル又は伝送経路の品質によって，データブロックが受信器において順不同で利用可能になり，そのような手段で再配置しなければならないためである。ノードＢはいくつかのＨＳ−ＳＣＣＨを同時に用い，各ＨＳ−ＳＣＣＨ上の対応する異なるＵＥ ＩＤを用いて，この１つのＵＥに通知することができる。ここで各ＨＳ−ＳＣＣＨ上のＵＥ ＩＤは，関連する転送ブロックの正しいＨＡＲＱプロセスを唯一に特定する。実行的にこれはＵＥ ＩＤがデータストリームを特定することを意味する。ＵＥ ＩＤは，ＨＡＲＱプロセスの集合及びＨＡＲＱプロセスＩＤ，すなわち集合内の実際のＩＤを通知する。これは実質的にＨＡＲＱプロセス１Ａ及び１Ｂと，２Ａ及び２Ｂと，等，すなわち２つのＨＡＲＱプロセス集合Ａ及びＢ，並びに各集合内の８つのプロセスとなる。あるいは８つのＨＡＲＱプロセス（先行技術において３ビットのＨＡＲＱプロセスＩＤによって可能）は十分ではないかもしれない。１つのＵＥに２つのＵＥ ＩＤを割り当てることによって，ＨＡＲＱプロセスの数は倍になる。
【００４８】
制御情報とデータとを分離するＵＥ ＩＤ
既に物理層において，すなわち最も早い段階でデータと制御情報（例えばＳＲＢ（信号通知無線ベアラ））とを識別できるとよい。これによって最下層において直ちにデータと制御情報とを別々に経路制御することができるようになる。例えば高データ速度のデータはＭＡＣ層プロセッサにおいて各ＰＤＵを処理することなく，直接ある出力ポートへ届けることができる。又はＳＲＢは，ほかのデータと識別できたとき，各処理段階においてより容易に高い優先度を与えられる。
【００４９】
最初の送信及び再送信を示すＵＥ ＩＤ
別の例では，送信が転送ブロックの最初の送信か再送信かをＵＥ ＩＤによって示すことができる。これは現在ＮＤＩ（新規データ指示子）によって部分的に行われているが，ＵＥが最初の送信を受け損なったときは，送信が最初の送信か再送信かが分からない（ＮＤＩは，送信を前の送信と結合するかどうかを通知する）。これはいくつかのアプリケーションには有用であろう。
【００５０】
図５に，図１Ｂのネットワーク要素１０ａ内の信号プロセッサ１４ａによって実行することができる一連のステップのフローチャートを示す。これは図１Ａ及び１Ｂ双方に関連して既に説明した処理と類似している。ステップ５００を開始した後，ステップ５０２が実行され，１又は多数のサービス要求がＵＥ１０ｂから受信される。ステップ５０４において受信器モジュール１２ａが要求を処理し，処理した要求信号を線２０ａ上で割当てモジュール２２ａに供給する。割当てモジュールはユーザ装置に，要求サービスの１つの識別子を割り当てるステップ又は指定するステップを実行する。ステップ５０８においてネットワーク要素１０ａが，ＵＥ１０ｂによって更なるサービスが要求されているかどうかを判定する。そうであるときは，割当てモジュールが別の要求サービス又は同一のサービス用の識別子を追加指定する。ステップ５０８において更なるサービスが判定され，ステップ５０６において，要求されたと判定されるサービスがなくなるまで追加のＵＥ ＩＤが指定される。すべてのサービスに識別子が指定されるとステップ５１０が実行されて，得られたユーザ装置識別子及びサービスを関連モジュール２６ａに通知する。もちろんこの処理は，説明したとおりすべてを同時に行わずに１つずつ行ってもよい。各要求サービスに指定されたユーザ装置識別子を関連モジュール２６ａが受信すると，各識別子と，要求サービスに適した信号構造，パラメータ，又はその双方とを関連付ける。関連モジュール２６ａに複数のユーザ装置識別子が供給されたとき，ステップ５１４において関連モジュールはそのような判定を行うことができ，各ユーザ装置識別子と適切な信号構造，パラメータ，又はその双方との関連付けを続行する。信号構造，パラメータ，又はその双方と関連させる必要のあるユーザ装置識別子がもうないことを判定すると，ステップ５１６において調停処理が開始され，実際のサービスが別のペイロードチャネル上で配信される前に，ユーザ装置は信号構造，パラメータ，又はその双方と，それらに関連するユーザ装置識別子とに合意できるようになる。この処理は，ＵＥとネットワーク側との対向する各ＲＲＣ層エンティティ間で行われる。ステップ５１８において調停が決定どおりに完了すると，例えばステップ５２０に示すように特定のサービスに指定されたユーザ装置識別子と関連する信号構造で搬送されるパラメータを用いてサービスを提供することができる。ステップ５２２において復帰する。
【００５１】
図６に，図１Ｂのユーザ装置１０ｂにおいて実行することができる一連のステップを示す。しかし図６の場合も同様に，これは単に例示であって，本発明は図示した特定のステップ又はその特定の順序に限定されるものではなく，更に種々のモジュール又はエンティティによって分散型で実行することもできる。ステップ６００において開始した後，ユーザ装置１０ｂにおいてステップ６０２に示す各サービスをユーザ装置が必要とすることが判断される。これは図１Ｂに図示されていないアプリケーション層において実行されるかもしれない。しかしそのようなアプリケーション層プロセスは，割当てモジュール２２ｂにサービスが必要であることを通知することができ，そして割当てモジュール２２ｂはステップ６０４に示すように必要な各サービス（又は１つのサービス）にユーザ装置識別子を指定する。そして割当てモジュール２２ｂは，線２４ｂ上の信号によって関連モジュール２６ｂに指定したユーザ装置識別子を指示する。次に関連モジュール２６ｂはステップ６０６を実行して，指定した各ユーザ装置識別子を特定の必要とされるサービスに適した信号構造，パラメータ，又はその双方に関連付ける。次に指定したユーザ装置識別子は，関連する信号構造，パラメータ，又はその双方と共に線２８ｂ上で調停モジュール３０ｂへ搬送される。そして調停モジュールはステップ６０８に示すとおり，ユーザ装置からの必要とするサービスへの要求を無線インタフェースを介してネットワークへ送信する。図１Ｂに関連して前に説明したとおり，この要求は調停のために信号線３２ｂ上を送信モジュール１６ｂ及びアンテナ１７を介し，無線インタフェースを介してネットワーク要素１０ａに送信される。ネットワーク要素にユーザ装置識別子の指定及び信号構造，パラメータ，又はその双方の関連付けをさせることが所望されるときは，ステップ６０４，６０６は省略できることに言及するのが望ましいであろう。したがってどの場合も前に説明した調停処理は，図６のステップ６１０に示すとおり実行することができる。ステップ６１２において調停処理が完了したことが判定されると，ステップ６１４が実行されてネットワークが，指定されたユーザ装置識別子と関連する信号構造，パラメータ，又はその双方によって通知されるパラメータを用いて配信される物理チャネル上で提供するサービスが受信される。ステップ６１６において復帰する。
【００５２】
図７に，図５又は６で示すステップを実行するために用いることができるはん用信号プロセッサ７００を示す。はん用信号プロセッサはそれ自身，プロセッサ１４ａ又は１４ｂ若しくは１４ａ及び１４ｂ双方の代わりをする。はん用信号プロセッサは，中央処理ユニット７０２と，ランダムアクセスメモリ７０４と，読み出し専用メモリ７０６と，入出力デバイス７０８と，クロック７１０と，ほかのコンポーネント７１２とを含む，すべてがデータ，アドレス及び制御バス７１４で相互接続されたコンポーネントからなる。図５のステップ又は図６のステップは，計算機プログラム言語を用いてコード化し，信号プロセッサ７００の読み出し専用メモリ７０６に実行のために記憶することができることを理解されたい。そして中央処理ユニット７０２は，コード化された命令を実行し，ある計算結果をランダムアクセスメモリ７０４に記憶させ，バス７１４を介して入出力デバイス７０８とデータを交換する。そして入出力デバイスは図１Ａの受信器モジュール１２又は送信器モジュール１６と通信する。図７に示した信号プロセッサに加えて，図１Ａに示すモジュール２２，２６，３０，３８のうち１又は複数は，上述の発明を実行することができる集積回路又は集積回路の組合せに組み込むことができることを当業者であれば理解するであろう。
【００５３】
図１Ｂ及び図５を参照すると，図５に示す既に説明したステップ５０２，５０４，５０６，５０８及び５１０は，図７の信号プロセッサ７００に記憶した計算機プログラム言語を用いてコード化すると，図１Ｂの割当てモジュール２２ａの指定機能を実行する手段と見なすことができる。類似して図５のステップ５１２及び５１４もまた，計算機プログラム言語でコード化し，図７の信号プロセッサのＲＯＭ７０６に記憶させ，信号プロセッサ７００によって実行して，図１Ｂの関連モジュール２６ａの機能を実行させることができる。図５のステップ５１２及び５１４はそれ自身多数のユーザ装置識別子それぞれに，多数の異なる信号構造，パラメータ，又はその双方から１つを関連付ける手段を構成する。同じように実行できる別のステップ，すなわち関連モジュール２６ａから調停モジュール３０ａへ線２８ａ上で信号通知するステップは図５に示していない。このような機能はまた，信号プロセッサ７００のＲＯＭ７０６に記憶したコード化した命令によって実行することもでき，関連モジュール又は手段の機能の一部であってもよい。類似して図１Ｂの調停モジュール３０ａは，図１Ｂのネットワーク要素１０ａのようなネットワーク要素において，図５のステップ５１６，５１８を実行するように設計者が選択した信号処理言語によってコード化された命令を用いて，図７の信号プロセッサ７００によって実行することができる。図５のステップ５２０は，ＲＯＭ７０６に記憶させた，選択されたプログラム言語で書かれコードによって図７の信号プロセッサ７００によって実行されたとき，もちろん図１Ｂに示すサービスモジュール３８ａの機能に対応する。
【００５４】
図１Ｂの右側，特に信号プロセッサブロック１４ｂ内に示された信号プロセッサモジュールを参照すると，モジュール２２ｂ，２６ｂ，３０ｂ及び３８ｂの機能も，図１Ｂの左側に関してすぐ上で説明したものと類似の方法で，図７に示された信号プロセッサ７００のような信号プロセッサによって実行できると見なされる。このように図７の信号プロセッサ７００は，図１Ｂの割当てモジュール２２ｂの機能に対応する，１つのユーザ装置に多数のユーザ装置識別子を指定する手段を含むと見なされ，例えばＵＥ１０ｂがステップ６０２においてサービスが必要とされることを決定したとき，図１Ｂ及び６に示した環境において図６のステップ６０４を実行する。類似して信号プロセッサ７００は，図６のステップ６０６に示したように，多数の異なる信号構造の１つを多数のユーザ装置識別子それぞれに関連付ける手段を含むと見なされる。図１Ｂのサービスモジュール３８ｂの機能も，図６に示すステップ６１４を実行する，信号プロセッサ７００に記憶された計算機プログラムによって，信号プロセッサ７００が実行することができる。図１Ｂの調停モジュール３０ｂに関しては，図６のステップ６０８，６１０，６１２によって示される機能は，計算機プログラム言語でコード化され，信号プロセッサが実行するために，図７の信号プロセッサ７００のＲＯＭ７０６に記憶される。信号プロセッサ７００それ自身は，図６及び／又は図１Ｂに示すステップによってユーザ装置と識別子を調停する手段を含むものと見なすことができる。
【００５５】
本発明をその最良の実施例に関して示し，説明したが，本発明の目的実行できる，本願特許請求の範囲の範囲内に依然として入る種々の別のデバイス及び方法を提供できることは，当業者には明らかである。好適な実施例に適用された本発明の基本的で新規な特徴を示し，記述し，指摘したが，説明したデバイス及び方法の形態及び詳細について種々の省略と，置き換えと，変更とを，当業者であれば本発明の精神から逸脱することなく行うことができることを理解されたい。例えば同一の結果を得るために，実質的に同一の方法で実質的に同一の機能を実行する要素及び／又は方法ステップのすべての組合せは，本発明の範囲内であることを明白に意図している。更に本発明の任意の開示形態又は実施例に関して示し及び／又は説明した構造物及び／又は要素及び／又は方法ステップは，任意のほかの開示され，又は説明され，又は示唆される形態又は実施例に，一般的な設計事項として組み込むことができることを理解されたい。したがって，本願の請求項の範囲によって示されるとおりに限定することが意図される。更に請求項における方法及び機能の条項は，列挙した機能を実行するここに記載された構造物及び構造的均等物だけでなく均等な構造物も含むことを意図している。したがって木製部品を固定する場合に，くぎは木製部品をしっかり固定するために円筒状表面を使用するが，ねじはらせん状表面を使用する点でくぎとねじは構造的均等物ではないかもしれないが，くぎとねじは均等な構造物であってよい。
【図面の簡単な説明】
【００５６】
【図１Ａ】多数のモジュールを組み合わせた本発明を実行するデバイスを示す図である。
【図１Ｂ】基地局及びユーザ装置を備えるシステムとして一緒に動作する図１Ａのデバイスにそれぞれ類似した２つのデバイスを示す図である。
【図２】ＨＳ−ＳＣＣＨの第１部分にあるＵＥ ＩＤをＨＳ−ＳＣＣＨ信号構造を示すために用いる方法の概念を示す図である。
【図３Ａ】高速搬送波指定のための実現例Ａであって，ＤＬ搬送波帯域（Ａ（コア），Ｂ，Ｃ，又はＤ）がＨＳ−ＳＣＣＨが搬送する組み込み情報として明示的に示され，ＵＥ ＩＤが搬送周波数又は帯域を示す実現例を示す図である。
【図３Ｂ】ＨＳ−ＳＣＣＨに追加された明示的ＤＬ搬送波番号パラメータを用いる，もう１つの明示的信号通知方法を示す図である。
【図４】高速搬送波指定のための実現例Ｂであって，ＤＬ搬送波がＵＥに指定されたＨＳ−ＳＣＣＨに用いられるチャネル化符号から暗黙に対応付けられる実現例を示す図である。
【図５】本発明によるネットワーク要素において実行することができる一連のステップを示すフローチャートである。
【図６】本発明によるユーザ装置において実行することができる一連のステップを示すフローチャートである。
【図７】本発明を実行する信号プロセッサを示す図である。
【手続補正書】
【提出日】平成20年6月11日(2008.6.11)
【手続補正１】
【補正対象書類名】特許請求の範囲
【補正対象項目名】請求項８１
【補正方法】変更
【補正の内容】
【請求項８１】
いくつかのパラメータを示すために，いくつかのユーザ装置識別子を前記ユーザ装置に割り当てる請求項７４に記載の方法。
【手続補正２】
【補正対象書類名】特許請求の範囲
【補正対象項目名】請求項９３
【補正方法】変更
【補正の内容】
【請求項９３】
いくつかのパラメータを示すために，いくつかのユーザ装置識別子を前記ユーザ装置に割り当てる請求項８６に記載の装置。
【手続補正３】
【補正対象書類名】特許請求の範囲
【補正対象項目名】請求項１０５
【補正方法】変更
【補正の内容】
【請求項１０５】
いくつかのパラメータを示すために，いくつかのユーザ装置識別子を前記ユーザ装置に割り当てる請求項９８に記載の装置。
【手続補正４】
【補正対象書類名】特許請求の範囲
【補正対象項目名】請求項１１７
【補正方法】変更
【補正の内容】
【請求項１１７】
いくつかのパラメータを示すために，いくつかのユーザ装置識別子を前記ユーザ装置に割り当てる請求項１１０に記載の方法。
【手続補正５】
【補正対象書類名】特許請求の範囲
【補正対象項目名】請求項１２９
【補正方法】変更
【補正の内容】
【請求項１２９】
いくつかのパラメータを示すために，いくつかのユーザ装置識別子を前記ユーザ装置に割り当てる請求項１２２に記載の装置。
【手続補正６】
【補正対象書類名】特許請求の範囲
【補正対象項目名】請求項１４１
【補正方法】変更
【補正の内容】
【請求項１４１】
いくつかのパラメータを示すために，いくつかのユーザ装置識別子を前記ユーザ装置に割り当てる請求項１３４に記載の装置。
【国際調査報告】
2008546268.tif 000012
2008546268.tif 000013
2008546268.tif 000014
2008546268.tif 000015
2008546268.tif 000016
2008546268.tif 000017
2008546268.tif 000018
2008546268.tif 000019